(57)【要約】  複数のコアネットワークが多重化された通信システムにおいて、端末装置がコアネットワーク接続して移動するための通信制御方法等を提供すること。  トラッキングエリア更新要求を受信した基地局装置は、基地局装置の設定に基づき接続する位置管理装置を決定し、トラッキングエリア更新要求を送信し、位置管理装置は、移動前に端末装置が接続していた位置管理装置に、端末装置に関する情報の要求を行い、移動前に端末装置が接続していた位置管理装置または、基地局装置からトラッキングエリア更新要求を受信した位置管理装置が、位置管理装置の再設定の要否を決定することにより、端末装置が接続するコアネットワークの制御をすることができる。
2016002692.tif 000002
【特許請求の範囲】
【請求項１】
第１の位置管理装置を含む第１のコアネットワークと、第２の位置管理装置及び第３の位置管理装置を含む第２のコアネットワークとに接続する基地局装置であって、
少なくとも端末装置の識別情報と、前記第２の位置管理装置の識別情報を含む第１のトラッキングエリア更新要求メッセージを前記端末装置から受信し、
前記第１の位置管理装置が送信するリダイレクト要求メッセージを受信し、
第３のトラッキングエリア更新要求メッセージに対する応答であり、前記第３の位置管理装置が送信する、少なくとも前記第３の位置管理装置を識別する識別情報を含むトラッキングエリア更新応答メッセージを受信する受信部と、
前記第１のトラッキングエリア更新要求メッセージの受信に基づいて、少なくとも前記第２の位置管理装置の識別情報を含めた第２のトラッキングエリア更新要求メッセージを前記第１の位置管理装置に送信し、
前記リダイレクト要求メッセージの受信に基づいて、前記第３の位置管理装置に前記第３のトラッキングエリア更新要求メッセージを送信し、
前記トラッキングエリア更新応答メッセージの受信に伴い、前記第１のトラッキングエリア更新要求メッセージに対する応答であり、少なくとも前記第３の位置管理装置を識別する識別情報を含むトラッキングエリア更新応答メッセージを前記端末装置に送信する送信部と、
を有する基地局装置。
【請求項２】
前記受信部は、
前記リダイレクト要求メッセージに含まれて送信される前記第３の位置管理装置の識別情報を受信する、
請求項１に記載の基地局装置。
【請求項３】
前記第２のコアネットワークの識別情報と、前記第３の位置管理装置の識別情報とを対応づけた管理情報を記憶する記憶部と、
前記リダイレクト要求メッセージに含まれて送信される前記第２のコアネットワークの識別情報と、前記管理情報に基づいて前記第３の位置管理装置の識別情報を選択する制御部と、を更に備え、
前記受信部は、
前記リダイレクト要求メッセージに含まれて送信される前記第２のコアネットワークの識別情報メッセージを受信する、
請求項１に記載の基地局装置。
【請求項４】
前記第２のコアネットワークに接続性がない場合には、
前記送信部は、
トラッキングエリアの更新要求を拒絶することを通知する、前記第１のトラッキングエリア更新要求メッセージに対する応答メッセージを送信する、
請求項１から３のいずれか１つに記載の基地局装置。
【請求項５】
第１の位置管理装置を含む第１のコアネットワークと、第２の位置管理装置と第３の位置管理装置を含む第２のコアネットワークとに接続する基地局装置であって、
少なくとも端末装置の識別情報と、前記第２の位置管理装置の識別情報を含む第１のトラッキングエリア更新要求メッセージを前記端末装置から受信し、
前記第１の位置管理装置が送信するリダイレクト要求メッセージを受信する受信部と、
前記第１のトラッキングエリア更新要求メッセージの受信に基づいて、少なくとも前記第２の位置管理装置の識別情報を含めた第２のトラッキングエリア更新要求メッセージを前記第１の位置管理装置に送信し、
前記第２のコアネットワークに接続性がない場合には、
前記リダイレクト要求メッセージの受信に伴い、前記第１のトラッキングエリア更新要求メッセージに対する応答であり、少なくとも前記第１の位置管理装置を識別する識別情報を含むトラッキングエリア更新応答メッセージを前記端末装置に送信する送信部と、
を有する基地局装置。
【請求項６】
第１のコアネットワークに配置される第１の位置管理装置であって、
前記第１の位置管理装置は基地局装置に接続していて、
少なくとも端末装置の識別情報と、第２のコアネットワークに配置される第２の位置管理装置の識別情報を含む第１のトラッキングエリア更新要求メッセージを前記基地局装置から受信し、
コンテキスト要求メッセージに対する応答であり、前記第２の位置管理装置とは異なり、少なくとも前記第２のコアネットワークに配置される位置管理装置へのリダイレクトを示す識別情報を含むコンテキスト応答メッセージを前記第２の位置管理装置から受信する受信部と、
前記端末装置のコンテキストを要求するコンテキスト要求メッセージを前記第２の位置管理装置に送信し、
前記コンテキスト応答メッセージの受信に基づいて、前記第２の位置管理装置とは異なり、前記第２のコアネットワークに配置される位置管理装置へのリダイレクトを要求するリダイレクト要求メッセージを前記基地局装置に送信する送信部と、
を有する第１の位置管理装置。
【請求項７】
前記送信部は
少なくとも前記第２のコアネットワークに配置される第３の位置管理装置の識別情報を含めて前記リダイレクト要求メッセージを前記基地局装置に送信する、
請求項６に記載の第１の位置管理装置。
【請求項８】
少なくとも前記第２のコアネットワークを識別する識別情報を含めて前記リダイレクト要求メッセージを前記基地局装置に送信する、
請求項６に記載の第１の位置管理装置。
【請求項９】
少なくとも前記第２のコアネットワークに配置される第３の位置管理装置の識別情報を含む前記コンテキスト応答メッセージを前記第２の位置管理装置から受信する、
請求項６又は７に記載の第１の位置管理装置。
【請求項１０】
少なくとも前記第２のコアネットワークを識別する識別情報を含む前記コンテキスト応答メッセージを前記第２の位置管理装置から受信する、
請求項６又は８に記載の第１の位置管理装置。
【請求項１１】
第１の位置管理装置を含む第１のコアネットワークと、第２の位置管理装置及び第３の位置管理装置を含む第２のコアネットワークとに接続する基地局装置の通信制御方法であって、
少なくとも端末装置の識別情報と、前記第２の位置管理装置の識別情報を含む第１のトラッキングエリア更新要求メッセージを前記端末装置から受信するステップと、
前記第１のトラッキングエリア更新要求メッセージの受信に基づいて、少なくとも前記第２の位置管理装置の識別情報を含めた第２のトラッキングエリア更新要求メッセージを前記第１の位置管理装置に送信するステップと、
前記第１の位置管理装置が送信するリダイレクト要求メッセージを受信するステップと、
前記リダイレクト要求メッセージの受信に基づいて、前記第３の位置管理装置に第３のトラッキングエリア更新要求メッセージを送信するステップと、
前記第３のトラッキングエリア更新要求メッセージに対する応答であり、前記第３の位置管理装置が送信する、少なくとも前記第３の位置管理装置を識別する識別情報を含むトラッキングエリア更新応答メッセージを受信するステップと、
前記トラッキングエリア更新応答メッセージの受信に伴い、前記第１のトラッキングエリア更新要求メッセージに対する応答であり、少なくとも前記第３の位置管理装置を識別する識別情報を含むトラッキングエリア更新応答メッセージを前記端末装置に送信するステップと、
を少なくとも含む基地局装置の通信制御方法。
【請求項１２】
前記リダイレクト要求メッセージに含まれて送信される前記第３の位置管理装置の識別情報を受信するステップと、
を更に含む請求項１１に記載の基地局装置の通信制御方法。
【請求項１３】
前記第２のコアネットワークの識別情報と、前記第３の位置管理装置の識別情報とを対応づけた管理情報を記憶するステップと、
前記リダイレクト要求メッセージに含まれて送信される前記第２のコアネットワークの識別情報メッセージを受信し、前記リダイレクト要求メッセージに含まれて送信される前記第２のコアネットワークの識別情報と、前記管理情報に基づいて前記第３の位置管理装置の識別情報を選択するステップと、
を更に含む請求項１１に記載の基地局装置の通信制御方法。
【請求項１４】
前記第２のコアネットワークに接続性がない場合には、
トラッキングエリアの更新要求を拒絶することを通知する、前記第１のトラッキングエリア更新要求メッセージに対する応答メッセージを送信するステップと、
を更に含む請求項１１から１３のいずれか１つに記載の基地局装置の通信制御方法。
【請求項１５】
第１の位置管理装置を含む第１のコアネットワークと、第２の位置管理装置及び第３の位置管理装置を含む第２のコアネットワークとに接続する基地局装置の通信制御方法であって、
少なくとも端末装置の識別情報と、前記第２の位置管理装置の識別情報を含む第１のトラッキングエリア更新要求メッセージを前記端末装置から受信し、
前記第１のトラッキングエリア更新要求メッセージの受信に基づいて、少なくとも前記第２の位置管理装置の識別情報を含めた第２のトラッキングエリア更新要求メッセージを前記第１の位置管理装置に送信するステップと、
前記第１の位置管理装置が送信するリダイレクト要求メッセージを受信するステップと、
前記第２のコアネットワークに接続性がない場合には、
前記リダイレクト要求メッセージの受信に伴い、前記第１のトラッキングエリア更新要求メッセージに対する応答であり、少なくとも前記第１の位置管理装置を識別する識別情報を含むトラッキングエリア更新応答メッセージを前記端末装置に送信するステップと、
を少なくとも含む基地局装置の通信制御方法。
【請求項１６】
第１のコアネットワークに配置される第１の位置管理装置の通信制御方法であって、
前記第１の位置管理装置は基地局装置に接続していて、
少なくとも端末装置の識別情報と、第２のコアネットワークに配置される第２の位置管理装置の識別情報を含む第１のトラッキングエリア更新要求メッセージを前記基地局装置から受信するステップと、
前記端末装置のコンテキストを要求するコンテキスト要求メッセージを前記第２の位置管理装置に送信するステップと、
前記コンテキスト要求メッセージに対する応答であり、前記第２の位置管理装置とは異なり、少なくとも前記第２のコアネットワークへ含まれる位置管理装置へのリダイレクトを示す識別情報を含むコンテキスト応答メッセージを前記第２の位置管理装置から受信するステップと、
前記コンテキスト応答メッセージの受信に基づいて、前記第２の位置管理装置とは異なり、前記第２のコアネットワークへ含まれる位置管理装置へのリダイレクトを要求するリダイレクト要求メッセージを前記基地局装置に送信するステップと、
を少なくとも含む第１の位置管理装置の通信制御方法。
【請求項１７】
少なくとも前記第２のコアネットワークに配置される第３の位置管理装置の識別情報を含めて前記リダイレクト要求メッセージを前記基地局装置に送信する、
請求項１６に記載の第１の位置管理装置の通信制御方法。
【請求項１８】
少なくとも前記第２のコアネットワークを識別する識別情報を含めて前記リダイレクト要求メッセージを前記基地局装置に送信する、
請求項１６に記載の第１の位置管理装置の通信制御方法。
【請求項１９】
少なくとも前記第２のコアネットワークに配置される第３の位置管理装置の識別情報を含む前記コンテキスト応答メッセージを前記第２の位置管理装置から受信する、
請求項１６又は１７に記載の位置管理装置の第１の通信制御方法。
【請求項２０】
少なくとも前記第２のコアネットワークを識別する識別情報を含む前記コンテキスト応答メッセージを前記第２の位置管理装置から受信する、
請求項１６又は１８に記載の第１の位置管理装置の通信制御方法。
【請求項２１】
端末装置と、基地局装置と、第１の位置管理装置を含む第１のコアネットワークと、第２の位置管理装置を含む第２のコアネットワークとを含んで構成する通信システムにおける端末装置であって、
前記端末装置は、少なくとも前記端末装置の識別情報と、前記第１の位置管理装置の識別情報を含む第１のトラッキングエリア更新要求メッセージを前記基地局装置に送信する送信部と、
前記第１のトラッキングエリア更新要求メッセージに対する応答であり、少なくとも前記第２の位置管理装置を識別する識別情報を含むトラッキングエリア更新応答メッセージを前記基地局装置から受信する受信部と、
を有する端末装置。
【請求項２２】
端末装置と、基地局装置と、第１の位置管理装置を含む第１のコアネットワークと、第２の位置管理装置を含む第２のコアネットワークと、を含んで構成する通信システムにおける端末装置の通信制御方法であって、
前記端末装置は、少なくとも前記端末装置の識別情報と、前記第１の位置管理装置の識別情報を含む第１のトラッキングエリア更新要求メッセージを前記基地局装置に送信するステップと、
前記第１のトラッキングエリア更新要求メッセージに対する応答であり、少なくとも前記第２の位置管理装置を識別する識別情報を含むトラッキングエリア更新応答メッセージを前記基地局装置から受信するステップと、
を少なくとも含む端末装置の通信制御方法。
【請求項２３】
端末装置と、基地局装置と、第１の位置管理装置を含む第１のコアネットワークと、第２の位置管理装置と第３の位置管理装置を含む第２のコアネットワークと、を含んで構成する通信システムであって、
前記端末装置は、少なくとも前記端末装置の識別情報と、前記第２の位置管理装置の識別情報を含む第１のトラッキングエリア更新要求メッセージを前記基地局装置に送信し、
前記基地局装置は、少なくとも前記端末装置の識別情報と、前記第２の位置管理装置の識別情報を含む第１のトラッキングエリア更新要求メッセージを端末装置から受信し、
前記第１のトラッキングエリア更新要求メッセージの受信に基づいて、少なくとも前記第２の位置管理装置の識別情報を含めた第２のトラッキングエリア更新要求メッセージを前記第１の位置管理装置に送信し、
前記第１の位置管理装置は、少なくとも前記端末装置の識別情報と、前記第２のコアネットワークに配置される前記第２の位置管理装置の識別情報を含む第１のトラッキングエリア更新要求メッセージを基地局装置から受信し、
前記端末装置のコンテキストを要求するコンテキスト要求メッセージを前記第２の位置管理装置に送信し、
前記コンテキスト要求メッセージに対する応答であり、前記第２の位置管理装置と異なり、少なくとも前記第２のコアネットワークに配置される位置管理装置へのリダイレクトを示す識別情報を含むコンテキスト応答メッセージを前記第２の位置管理装置から受信し、
前記コンテキスト応答メッセージの受信に基づいて、前記第２の位置管理装置と異なり、前記第２のコアネットワークに配置される位置管理装置へのリダイレクトを要求するリダイレクト要求メッセージを前記基地局装置に送信し、
前記基地局装置は、前記第１の位置管理装置が送信するリダイレクト要求メッセージを受信し、
前記リダイレクト要求メッセージの受信に基づいて、前記第３の位置管理装置に第３のトラッキングエリア更新要求メッセージを送信し、
前記第３のトラッキングエリア更新要求メッセージに対する応答であり、前記第３の位置管理装置が送信する、少なくとも前記第３の位置管理装置を識別する識別情報を含むトラッキングエリア更新応答メッセージを受信し、
前記トラッキングエリア更新応答メッセージの受信に伴い、前記第１のトラッキングエリア更新要求メッセージに対する応答であり、少なくとも前記第３の位置管理装置を識別する識別情報を含むトラッキングエリア更新応答メッセージを前記端末装置に送信し、
前記端末装置は、前記第１のトラッキングエリア更新要求メッセージに対する応答であり、少なくとも前記第３の位置管理装置を識別する識別情報を含むトラッキングエリア更新応答メッセージを前記基地局装置から受信する、
通信システム。
【発明の詳細な説明】
【技術分野】
【０００１】
本発明は、基地局装置、第１の位置管理装置、端末装置、通信制御方法、および通信システムに関する。
【背景技術】
【０００２】
近年の移動通信システムの標準化活動を行う３ＧＰＰ（The 3rd Generation Partnership Project）では、オールＩＰ化を実現する、非特許文献１に記載のＥＰＳ（Evolved Packet System）の仕様化を行っている。ＥＰＳは、移動通信事業者等が携帯電話サービスを提供するための移動通信システムであり、ＥＰＣ（Ｅｖｏｌｖｅｄ  Ｐａｃｋｅｔ  Ｃｏｒｅ）と呼ばれるコアネットワークやＬＴＥ(Ｌｏｎｇ  Ｔｅｒｍ  Ｅｖｏｌｕｔｉｏｎ)とよばれる無線通信規格に基づくアクセスネットワーク等を含めて構成されている。【０００３】
さらに、３ＧＰＰのＥＰＳの仕様化の中で、コアネットワークの多重化（オーバーレイ）を目的にＤＥＣＯＲ(Dedicated Core Networks)の検討を行っている。ＤＥＣＯＲでは、通信システムは複数のネットワークを多重化して構成し、端末装置は端末種別等に応じて異なるネットワークへ接続する。これにより、端末種別に応じて端末トラヒックを分散することができたり、端末種別に応じたトラヒック管理を行うことができる。【０００４】
例えば、近年増加傾向にあるＭ２Ｍ（Machine to Machine）端末は、Ｍ２Ｍ専用のコアネットワークに接続し、スマートフォン等の一般の携帯電話端末はメインのコアネットワークに接続するなどの利用方法を実現することができる。
【先行技術文献】
【非特許文献】
【０００５】
【非特許文献１】３ＧＰＰ  ＴＳ２３．４０１  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、  Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ  （Ｒｅｌｅａｓｅ  １２）
【発明の概要】
【発明が解決しようとする課題】
【０００６】
ＤＥＣＯＲでは、メインのコアネットワークと、オーバーレイされたコアネットワークとを端末装置の特性により分けることを規定している。これらのコアネットワーク内には、それぞれ異なる移動管理装置が含まれて構成されている。【０００７】
したがって、端末装置が接続するコアネットワークは端末種別や端末特性に応じて適切に選択される必要がある。そのためには、位置管理装置が端末種別や端末特性に応じて適切に選択される必要がある。【０００８】
しかしながら、現在こうした端末種別や端末特性等に応じて適切にコアネットワークが選択され、端末が選択されたコアネットワークに接続して通信を継続する手段は明らかになっていない。【０００９】
例えば、コアネットワークに接続した端末が、アイドルモードに遷移して移動した際に実行するトラッキングエリア更新（ＴＡＵ：Ｔｒａｃｋｉｎｇ  Ａｒｅａ  Ｕｐｄａｔｅ）手続きにおいて、複数構成されている多重化コアネットワークのうち、同一のコアネットワークに接続を維持する方法等が明らかなっていない。【００１０】
本発明は、このような事情を鑑みてなされたもので、その目的は、複数の多重化されたコアネットワークが構成された移動通信システムにおいて、端末が適切なコアネットワークへ接続して移動通信をするための好適な手段を提供することである。
【課題を解決するための手段】
【００１１】
本発明の基地局装置は、第１の位置管理装置を含む第１のコアネットワークと、第２の位置管理装置と第３の位置管理装置を含む第２のコアネットワークとに接続する基地局装置であって、少なくとも端末装置の識別情報と、第２の位置管理装置の識別情報を含む第１のトラッキングエリア更新要求メッセージを端末装置から受信し、第１の位置管理装置が送信するリダイレクト要求メッセージを受信し、第３のトラッキングエリア更新要求メッセージに対する応答であり、第３の位置管理装置が送信する、少なくとも第３の位置管理装置を識別する識別情報を含むトラッキングエリア更新応答メッセージを受信する受信部と、第１のトラッキングエリア更新要求メッセージの受信に基づいて、少なくとも第２の位置管理装置の識別情報を含めた第２のトラッキングエリア更新要求メッセージを第１の位置管理装置に送信し、リダイレクト要求メッセージの受信に基づいて、第３の位置管理装置に第３のトラッキングエリア更新要求メッセージを送信し、トラッキングエリア更新応答メッセージの受信に伴い、第１のトラッキングエリア更新要求メッセージに対する応答であり、少なくとも第３の位置管理装置を識別する識別情報を含むトラッキングエリア更新応答メッセージを端末装置に送信する送信部とを有することを特徴とする。【００１２】
本発明の基地局装置は、第１の位置管理装置を含む第１のコアネットワークと、第２の位置管理装置と第３の位置管理装置を含む第２のコアネットワークとに接続する基地局装置であって、少なくとも端末装置の識別情報と、第２の位置管理装置の識別情報を含む第１のトラッキングエリア更新要求メッセージを端末装置から受信し、第１の位置管理装置が送信するリダイレクト要求メッセージを受信する受信部と、第１のトラッキングエリア更新要求メッセージの受信に基づいて、少なくとも第２の位置管理装置の識別情報を含めた第２のトラッキングエリア更新要求メッセージを第１の位置管理装置に送信し、第２のコアネットワークに接続性がない場合には、リダイレクト要求メッセージの受信に伴い、第１のトラッキングエリア更新要求メッセージに対する応答であり、少なくとも第１の位置管理装置を識別する識別情報を含むトラッキングエリア更新応答メッセージを端末装置に送信する送信部と、を有することを特徴とする。【００１３】
本発明の位置管理装置は、第１のコアネットワークに配置される位置管理装置であって、第１の位置管理装置は基地局装置に接続していて、少なくとも端末装置の識別情報と、第２のコアネットワークに配置される第２の位置管理装置の識別情報を含む第１のトラッキングエリア更新要求メッセージを前記基地局装置から受信し、コンテキスト要求メッセージに対する応答であり、第２の位置管理装置とは異なり、少なくとも第２のコアネットワークに配置される位置管理装置へのリダイレクトを示す識別情報を含むコンテキスト応答メッセージを第２の位置管理装置から受信する受信部と、端末装置のコンテキストを要求するコンテキスト要求メッセージを第２の位置管理装置に送信し、コンテキスト応答メッセージの受信に基づいて、前記第２の位置管理装置とは異なり、第２のコアネットワークに配置される位置管理装置へのリダイレクトを要求するリダイレクト要求メッセージを基地局装置に送信する送信部と、を有することを特徴とする。【００１４】
本発明の基地局装置の通信制御方法は、第１の位置管理装置を含む第１のコアネットワークと、第２の位置管理装置及び第３の位置管理装置を含む第２のコアネットワークとに接続する基地局装置の通信制御方法であって、少なくとも端末装置の識別情報と、第２の位置管理装置の識別情報を含む第１のトラッキングエリア更新要求メッセージを端末装置から受信するステップと、第１のトラッキングエリア更新要求メッセージの受信に基づいて、少なくとも第２の位置管理装置の識別情報を含めた第２のトラッキングエリア更新要求メッセージを第１の位置管理装置に送信するステップと、第１の位置管理装置が送信するリダイレクト要求メッセージを受信するステップと、リダイレクト要求メッセージの受信に基づいて、第３の位置管理装置に第３のトラッキングエリア更新要求メッセージを送信するステップと、第３のトラッキングエリア更新要求メッセージに対する応答であり、第３の位置管理装置が送信する、少なくとも第３の位置管理装置を識別する識別情報を含むトラッキングエリア更新応答メッセージを受信するステップと、トラッキングエリア更新応答メッセージの受信に伴い、第１のトラッキングエリア更新要求メッセージに対する応答であり、少なくとも第３の位置管理装置を識別する識別情報を含むトラッキングエリア更新応答メッセージを端末装置に送信するステップと、を少なくとも含むことを特徴とする。【００１５】
本発明の基地局装置の通信制御方法は、第１の位置管理装置を含む第１のコアネットワークと、第２の位置管理装置及び第３の位置管理装置を含む第２のコアネットワークとに接続する基地局装置であって、少なくとも端末装置の識別情報と、第２の位置管理装置の識別情報を含む第１のトラッキングエリア更新要求メッセージを端末装置から受信し、第１のトラッキングエリア更新要求メッセージの受信に基づいて、少なくとも第２の位置管理装置の識別情報を含めた第２のトラッキングエリア更新要求メッセージを第１の位置管理装置に送信するステップと、第１の位置管理装置が送信するリダイレクト要求メッセージを受信するステップと、第２のコアネットワークに接続性がない場合には、リダイレクト要求メッセージの受信に伴い、第１のトラッキングエリア更新要求メッセージに対する応答であり、少なくとも第１の位置管理装置を識別する識別情報を含むトラッキングエリア更新応答メッセージを端末装置に送信するステップと、を少なくとも含むことを特徴とする。【００１６】
本発明の位置管理装置の通信制御方法は、第１のコアネットワークに配置される第１の位置管理装置の通信制御方法であって、第１の位置管理装置は基地局装置に接続していて、少なくとも端末装置の識別情報と、第２のコアネットワークに配置される第２の位置管理装置の識別情報を含む第１のトラッキングエリア更新要求メッセージを基地局装置から受信するステップと、端末装置のコンテキストを要求するコンテキスト要求メッセージを第２の位置管理装置に送信するステップと、コンテキスト要求メッセージに対する応答であり、第２の位置管理装置とは異なり、少なくとも第２のコアネットワークに配置される位置管理装置へのリダイレクトを示す識別情報を含むコンテキスト応答メッセージを第２の位置管理装置から受信するステップと、コンテキスト応答メッセージの受信に基づいて、前記第２の位置管理装置とは異なり、第２のコアネットワークに配置される位置管理装置へのリダイレクトを要求するリダイレクト要求メッセージを基地局装置に送信するステップとを有することを特徴とする。【００１７】
本発明の端末装置は、端末装置と、基地局装置と、第１の位置管理装置を含む第１のコアネットワークと、第２の位置管理装置を含む第２のコアネットワークとを含んで構成する通信システムにおける端末装置であって、少なくとも端末装置の識別情報と、第１の位置管理装置の識別情報を含む第１のトラッキングエリア更新要求メッセージを基地局装置に送信し、第１のトラッキングエリア更新要求メッセージに対する応答であり、少なくとも第２の位置管理装置を識別する識別情報を含むトラッキングエリア更新応答メッセージを基地局装置から受信する受信部と、を有することを特徴とする。【００１８】
本発明の端末装置の通信制御方法は、端末装置と、基地局装置と、第１の位置管理装置を含む第１のコアネットワークと、第２の位置管理装置を含む第２のコアネットワークとを含んで構成する通信システムにおける端末装置の通信制御方法であって、端末装置は、少なくとも端末装置の識別情報と、第１の位置管理装置の識別情報を含む第１のトラッキングエリア更新要求メッセージを基地局装置に送信するステップと、第１のトラッキングエリア更新要求メッセージに対する応答であり、少なくとも第２の位置管理装置を識別する識別情報を含むトラッキングエリア更新応答メッセージを基地局装置から受信するステップと、を少なくとも含むことを特徴とする。【００１９】
本発明の通信システムは、端末装置と、基地局装置と、第１の位置管理装置を含む第１のコアネットワークと、第２の位置管理装置と第３の位置管理装置を含む第２のコアネットワークを含んで構成する通信システムであって、端末装置は、少なくとも端末装置の識別情報と、第２の位置管理装置の識別情報を含む第１のトラッキングエリア更新要求メッセージを基地局装置に送信し、基地局装置は、少なくとも端末装置の識別情報と、第２の位置管理装置の識別情報を含む第１のトラッキングエリア更新要求メッセージを端末装置から受信し、第１のトラッキングエリア更新要求メッセージの受信に基づいて、少なくとも第２の位置管理装置の識別情報を含めた第２のトラッキングエリア更新要求メッセージを第１の位置管理装置に送信し、第１の位置管理装置は、少なく端末装置の識別情報と、第２のコアネットワークに配置される第２の位置管理装置の識別情報を含む第１のトラッキングエリア更新要求メッセージを基地局装置から受信し、端末装置のコンテキストを要求するコンテキスト要求メッセージを第２の位置管理装置に送信し、コンテキスト要求メッセージに対する応答であり、前記第２の位置管理装置と異なり、少なくとも第２コアネットワークに配置される位置管理装置へのリダイレクトを示す識別情報を含むコンテキスト応答メッセージを第２の位置管理装置から受信し、コンテキスト応答メッセージの受信に基づいて、前記第２の位置管理装置と異なり、第２コアネットワークに配置される位置管理装置へのリダイレクトを要求するリダイレクト要求メッセージを基地局装置に送信し、基地局装置は、第１の位置管理装置が送信するリダイレクト要求メッセージを受信し、リダイレクト要求メッセージの受信に基づいて、第３の位置管理装置に第３のトラッキングエリア更新要求メッセージを送信し、第３のトラッキングエリア更新要求メッセージに対する応答であり、第３の位置管理装置が送信する、少なくとも第３の位置管理装置を識別する識別情報を含むトラッキングエリア更新応答メッセージを受信し、トラッキングエリア更新応答の受信に伴い、第１のトラッキングエリア更新要求メッセージに対する応答であり、少なくとも第３の位置管理装置を識別する識別情報を含むトラッキングエリア更新応答メッセージを端末装置に送信し、端末装置は、第１のトラッキングエリア更新要求メッセージに対する応答であり、少なくとも第３の位置管理装置を識別する識別情報を含むトラッキングエリア更新応答メッセージを基地局装置から受信することを特徴とする。
【発明の効果】
【００２０】
本発明によれば、多重化されたコアネットワークを構成する通信ネットワークにおいて、端末装置の移動および端末装置の位置の登録を行うためのトラッキングエリア更新手続きを実現することができる。
【図面の簡単な説明】
【００２１】
【図１】移動通信システムの概略を説明するための図である
【図２】ＩＰ移動通信ネットワークの構成等を説明するための図である
【図３】ｅＮＢの機能構成を説明するための図である
【図４】ＭＭＥの機能構成を説明するための図である
【図５】システムモデルを説明するための図である
【図６】トラッキングエリア更新手続きを説明するための図である
【図７】トラッキングエリア更新手続きの変形例１を説明するための図である
【図８】トラッキングエリア更新手続きの変形例２を説明するための図である
【発明を実施するための形態】
【００２２】
以下、図面を参照して本発明を実施する為に最良の形態について説明する。なお、本実施形態では一例として、本発明を適用した場合の移動通信システムの実施形態について説明する。
【００２３】
［１．第１の実施形態］
以下、図面を参照しながら本発明の実施形態による無線通信技術について詳細に説明する。
【００２４】
［１．１  システム概要］
図１は、本実施形態における移動通信システムの概略を説明するための図である。本図に示すように、移動通信システム１は、移動端末装置ＵＥ＿Ａ１０、ＵＥ＿Ｂ１５とアクセスネットワーク８０とコアネットワーク（タイプ１）９０とコアネットワーク（タイプ２）９２とＰＤＮ(Packet Data Network)＿Ａ１００とＰＤＮ＿Ｂ１０２により構成されている。
【００２５】
ここで、コアネットワークは、移動通信事業者（Ｍｏｂｉｌｅ  Ｏｐｅｒａｔｏｒ）が運用するＩＰ移動通信ネットワークのことである。なお、コアネットワーク（タイプ１）９０とコアネットワーク（タイプ２）９２は、移動通信システム１において多重化されて構成されたネットワークであってよい。
【００２６】
また、コアネットワーク（タイプ１）９０とコアネットワーク（タイプ２）９２は単一の移動通信事業者によって運用、管理されるコアネットワークであってもよい。もしくは、それぞれ異なる移動通信事業者によって運用、管理されるコアネットワークであってもよい。例えば、コアネットワーク（タイプ１）９０は移動通信システム１を運用、管理する移動通信事業者のためのコアネットワークであり、コアネットワーク（タイプ２）９２はＭＶＮＯ（Ｍｏｂｉｌｅ  Ｖｉｒｔｕａｌ  Ｎｅｔｗｏｒｋ  Ｏｐｅｒａｔｏｒ）などの仮想移動通信事業者のためのコアネットワークであってよい。このように、コアネットワーク（タイプ２）９２は仮想移動通信事業者網として構成されてもよい。ここで、タイプ１やタイプ２等のタイプは、コアネットワークを識別する情報である。コアネットワークを識別する情報は、タイプに限らずコアネットワークを識別することができる情報であればよい。コアネットワークに識別番号を割り当て、コアネットワーク１、コアネットワーク２など、識別番号で複数の多重化されたコアネットワークを識別してもよいし、ＭＶＮＯを含む複数の移動通信事業者がそれぞれコアネットワークを構成する場合、移動通信事業者を識別する情報でコアネットワークを識別してもよい。
【００２７】
さらに、ＵＥ＿Ａ１０とＵＥ＿Ｂ１５はあらかじめコアネットワークのタイプが割り当てられていてもよい。ここではＵＥ＿Ａ１０はタイプ１が、ＵＥ＿Ｂ１５はタイプ２が割り当てられているとする。
【００２８】
または、コアネットワークのタイプが割り当てられたＵＥと割り当てられていないＵＥが存在してもよい。コアネットワークのタイプが割り当てられていないＵＥは、デフォルトのコアネットワークに接続されてよい。デフォルトのネットワークは、移動通信事業者等によって予めどのコアネットワークがデフォルトのコアネットワークであるかを管理し、こうした管理情報によって決定されて良い。例えば、メインのコアネットワークであるコアネットワーク（タイプ１）９０をデフォルトのネットワークとしてＰＤＮ接続を確立してもよい。一方、コアネットワークタイプが割り当てられたＵＥは、指定するタイプに対応する専用のコアネットワークに接続し、ＰＤＮ接続を確立してもよい。
【００２９】
更に、各ＵＥのタイプは端末出荷時に設定されていてもよい。また、出荷時に複数のタイプが設定されていて、ユーザまたはＵＥ自身が、通信の目的に応じてタイプを変更してもよい。
【００３０】
またコアネットワーク（タイプ１）９０は、タイプ１のＵＥ専用のコアネットワークであり、コアネットワーク（タイプ１）９０には、ＭＭＥ(Mobility Management Entity)＿Ａ４０が含まれている。
【００３１】
コアネットワーク（タイプ２）９２も同様に、タイプ２のＵＥ専用のコアネットワークであり、コアネットワーク（タイプ２）９２には、ＭＭＥ＿Ｂ４２が含まれている。
【００３２】
さらに、図に示すようにコアネットワーク（タイプ１）９０とコアネットワーク（タイプ２）９２は異なるＰＤＮ(Packet Data Network)に接続することができる。
【００３３】
ＰＤＮ＿Ａ１００と、ＰＤＮ＿Ｂ１０２は、ＵＥの目的に対応するコアネットワーク外のパケットデータネットワークである。例えば、コアネットワーク（タイプ１）９０がメインのコアネットワークである場合、ＰＤＮ＿Ａ１００は、ＩＭＳ（IP Multimedia Subsystem）などであってもよい。更に、コアネットワーク（タイプ２）９２がＭ２Ｍ端末専用のコアネットワークである場合、ＰＤＮ＿Ｂ１０２は、Ｍ２Ｍのサービスネットワークであってもよい。
【００３４】
次に、コアネットワーク（タイプ１）９０の構成例を、図２を用いて説明する。なお、コアネットワーク（タイプ２）９２の構成はコアネットワーク（タイプ１）９０の構成と同様であり、詳細な説明は省略する。
【００３５】
図２（ａ）に示すようにコアネットワーク（タイプ１）９０は、ＨＳＳ（Home Subscriber Server）５０、ＡＡＡ（Authentication、 Authorization、 Accounting）５５、ＰＣＲＦ（Policy and Charging Rules Function）６０、ＰＧＷ（Packet Data Network Gateway）３０、ｅＰＤＧ（enhanced Packet Data Gateway）６５、ＳＧＷ（Serving Gateway）３５、ＭＭＥ＿Ａ４０により構成される。
【００３６】
また、コアネットワーク（タイプ１）９０は、各アクセスネットワーク（ＬＴＥ  ＡＮ８０、ＷＬＡＮ  ＡＮｂ７５、ＷＬＡＮ  ＡＮａ７０）が接続されている。
【００３７】
無線アクセスネットワークは、複数の異なるアクセスネットワークで構成されてよい。それぞれのアクセスネットワークはコアネットワーク（タイプ１）９０に接続されている。さらに、ＵＥ１０は無線アクセスネットワークに無線接続することができる。
【００３８】
さらに、ＷＬＡＮアクセスシステムで接続可能なアクセスネットワークは、ｅＰＤＧ６５をコアネットワーク（タイプ１）９０への接続装置として接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７５）とが構成可能である。
【００３９】
なお、各装置はＥＰＳを利用した移動通信システムにおける従来の装置と同様に構成されるため、詳細な説明は省略する。以下、各装置の簡単な説明をする。
【００４０】
ＰＧＷ３０はＰＤＮ１００とＳＧＷ３５とｅＰＤＧ６５とＷＬＡＮ  ＡＮａ７０と、ＰＣＲＦ６０とＡＡＡ５５とに接続されており、ＰＤＮ９とコアネットワーク（タイプ１）９０のゲートウェイ装置としてユーザデータ配送を行う。
【００４１】
ＳＧＷ３５は、ＰＧＷ３０とＭＭＥ＿Ａ４０とＬＴＥ  ＡＮ８０とに接続されており、コアネットワーク（タイプ１）９０とＬＴＥ  ＡＮ８０とのゲートウェイ装置としてユーザデータ配送を行う。
【００４２】
ＭＭＥ＿Ａ４０は、ＳＧＷ３５とＬＴＥ  ＡＮ８０とＨＳＳ５０に接続されており、ＬＴＥ  ＡＮ８０を経由してＵＥ１５の位置情報管理と、アクセス制御を行うアクセス制御装置である。また、コアネットワーク（タイプ１）９０には、複数の位置管理装置が含まれて構成されてよい。例えば、ＭＭＥ＿Ａ４０とは異なる位置管理装置としてＭＭＥ＿Ｃ４４が構成されてもよい。ＭＭＥ＿Ｃ４４はＭＭＥ＿Ａ４０と同様にＳＧＷ３５とＬＴＥ  ＡＮ８０と、ＨＳＳ５０と接続されてよい。
【００４３】
また、ＭＭＥ＿Ｃ４４とＭＭＥ＿Ａ４０とが接続されてもよい。これにより、ＭＭＥ＿Ｃ４４とＭＭＥ＿Ａ４０は、ＵＥ１０のコンテキストの送受信を行ってもよい。
【００４４】
ＨＳＳ５０はＭＭＥ＿Ａ４０とＡＡＡ５５とに接続されており、加入者情報の管理を行う管理ノードである。ＨＳＳ５０の加入者情報は、例えばＭＭＥ＿Ａ４０のアクセス制御の際に参照される。
【００４５】
さらに、ＨＳＳ５０は、ＭＭＥ＿Ｂ４２と接続されていてもよい。ＭＭＥ＿Ｂ４２は図１に示すようにコアネットワーク（タイプ１）９０のオーバーレイネットワーク、コアネットワーク（タイプ２）９２に含まれている。
【００４６】
つまりＨＳＳ５０は、ＭＭＥ＿Ｂ４２のようにＨＳＳ５０が含まれるコアネットワークとは異なるコアネットワークに含まれるＭＭＥと接続されていてもよい。更に、ＨＳＳ５０の加入者情報は、ＭＭＥ＿Ｂ４２のアクセス制御の際にも参照される。
【００４７】
また、ＨＳＳ５０は、コアネットワーク（タイプ２）９２に含まれていてもよい。この場合、ＨＳＳ５０はＭＭＥ＿Ａ４０に接続されていてもよい。
【００４８】
つまり、多重化されたコアネットワークは、１つのＨＳＳを複数の多重化されたコアネットワーク間で共有してもよい。
【００４９】
ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。
【００５０】
ＰＣＲＦ６０は、ＰＧＷ３０と、ＷＬＡＮ  ＡＮａ７５と、ＡＡＡ５５と、ＰＤＮ１００に接続されており、データ配送に対するＱｏＳ管理を行う。例えば、ＵＥ＿Ａ１０とＰＤＮ＿Ａ１００間の通信路のＱｏＳの管理を行う。
【００５１】
ｅＰＤＧ６５は、ＰＧＷ３０と、ＷＬＡＮ  ＡＮｂ７５とに接続されており、コアネットワーク（タイプ１）９０と、ＷＬＡＮ  ＡＮｂ７５とのゲートウェイ装置としてユーザデータの配送を行う。
【００５２】
また、図２（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００５３】
本実施形態においては、ＬＴＥ  ＡＮ８０はｅＮＢ４５を含んで構成される。ｅＮＢ４５はＬＴＥアクセスシステムでＵＥ１０が接続する無線基地局であり、ＬＴＥ  ＡＮ８０には１又は複数の無線基地局が含まれて構成されてよい。
【００５４】
ＷＬＡＮ  ＡＮａ７０はＷＬＡＮ  ＡＰａ７２と、ＧＷ（Gateway）７４とが含まれて構成される。ＷＬＡＮ  ＡＰａ７２はコアネットワーク（タイプ１）９０を運営する事業者に対して信頼性のあるＷＬＡＮアクセスシステムでＵＥ１０が接続する無線基地局であり、ＷＬＡＮ  ＡＮａ７０には１又は複数の無線基地局が含まれて構成されてよい。ＧＷ７４はコアネットワーク（タイプ１）９０とＷＬＡＮ  ＡＮａ７０のゲートウェイ装置である。また、ＷＬＡＮ  ＡＰａ７２とＧＷ７４とは、単一の装置で構成されてもよい。
【００５５】
コアネットワーク（タイプ１）９０を運営する事業者とＷＬＡＮ  ＡＮａ７０を運営する事業者が異なる場合でも、事業者間の契約や規約によりこのような構成での実現が可能となる。
【００５６】
また、ＷＬＡＮ  ＡＮｂ７５はＷＬＡＮ  ＡＰｂ７６を含んで構成される。ＷＬＡＮ  ＡＰｂ７６はコアネットワーク（タイプ１）９０を運営する事業者に対して信頼関係が結ばれていない場合に、ＷＬＡＮアクセスシステムでＵＥ１０が接続する無線基地局であり、ＷＬＡＮ  ＡＮｂ７５には１又は複数の無線基地局が含まれて構成されてよい。
【００５７】
このように、ＷＬＡＮ  ＡＮｂ７５はコアネットワーク（タイプ１）９０に含まれる装置であるｅＰＤＧ６５をゲートウェイとしてコアネットワーク（タイプ１）９０に接続される。ｅＰＤＧ６５は安全性を確保するためのセキュリティー機能を持つ。
【００５８】
なお、本明細書において、ＵＥ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００５９】
［１．２．装置の構成］
続いて、各装置構成について図を用いて簡単に説明する。
【００６０】
［１．２．１．ｅＮＢの構成図］
図３（ａ）にｅＮＢ４５の構成図を示す。図に示すように、ｅＮＢ４５は、ＩＰ移動通信ネットワークインターフェース部２２０と制御部２００と記憶部２４０で構成されている。ＩＰ移動通信ネットワークインターフェース部２２０と記憶部２４０は、制御部２００とバスを介して接続されている。
【００６１】
制御部２００は、ｅＮＢ４５を制御するための機能部である。制御部２００は、記憶部２４０に記憶されている各種プログラムを読みだして実行することにより各種処理を実現する。
【００６２】
ＩＰ移動通信ネットワークインターフェース部２２０は、ｅＮＢ４５がＵＥ＿Ａ１０およびＵＥ＿Ｂ１５と接続し、コアネットワーク（タイプ１）９０、コアネットワーク（タイプ２）９２と接続するための機能部である。
【００６３】
記憶部２４０は、ＭＭＥ情報２４２が記憶されている。ＭＭＥ情報２４２には、ｅＮＢ４５から接続可能なＭＭＥを記憶する。例えば、図３（ｂ）に示すように、ｅＮＢ４５から接続可能なＭＭＥの識別情報と、各ＭＭＥのサービスエリアを識別するエリア情報を関連付けて記憶しても良い。図３（ｂ）の例では、サービスエリアごとに異なるＭＭＥを記憶しており、各サービスエリアに配置された基地局装置は、サービスエリアに対応づけられているＭＭＥに接続可能であることを示している。なお、同一サービスエリアに対して異なるタイプのコアネットワークに含まれるＭＭＥを記憶してもよい。例えば、サービスエリア「Ａ」に対応づけて、タイプ１のコアネットワークに設置されるＭＭＥと、タイプ２のコアネットワークに設置されるＭＭＥとを記憶しても良い。
【００６４】
ここで、ＭＭＥ識別情報はＭＭＥを識別できる情報であればよく、例えば、ＧＵＭＭＥＩ（Globally Unique MME Identifier）であってもよい。ＧＵＭＭＥＩとは、ＭＭＥの識別情報であり、移動通信事業者網の識別情報であるＰＬＭＮ(Public land mobile network)と、複数のＭＭＥを識別するＭＭＥのグループ番号と、ＭＭＥを識別するＭＭＥの番号が含まれている。
【００６５】
なお、ＭＭＥのグループ番号には、コアネットワークのタイプを識別できる情報を含めて記憶しても良い。その場合、ＭＭＥのグループ番号によってコアネットワークを識別することができる。さらに、ＭＭＥのグループ番号に対応づけて、対応するコアネットワーク配置されたＭＭＥをグループとして管理してもよい。これにより、ＭＭＥの識別情報とＭＭＥのグループ番号を基に、ＭＭＥが含まれるコアネットワークのタイプを識別してもよい。
【００６６】
または、ＭＭＥの識別情報から独立した情報要素で、コアネットワークのタイプ情報を示してもよい。例えば、ＭＭＥ情報２４２は、図３（ｃ）のように、コアネットワークの識別情報であるタイプ情報と、エリア情報と、ＭＭＥの識別情報とを関連づけて記憶してもよい。これにより、コアネットワークのタイプに応じてエリアを構成することができる。さらに、各エリアに配置されるＭＭＥを記憶することができる。さらには、コアネットワークのタイプ毎にＭＭＥを記憶することができる。さらに、特定のコアネットワークの特定のエリアに配置されるＭＭＥを記憶することができる。
【００６７】
なお、既に説明したとおり、ＭＭＥの識別情報は、ＧＵＭＭＥＩあってもよい。
【００６８】
また、これらのＭＭＥの識別情報の管理方法では、必ずしもエリア情報を記憶せず、コアネットワークタイプとＭＭＥの識別情報を対応づけて記憶してもよい。
【００６９】
なお、これまで説明したエリア情報は、トラッキングエリア情報であってもよいし、ルーティングエリア情報であってもよい。
【００７０】
［１．２．２．ＭＭＥの構成図］
次に、ＭＭＥ＿Ａ４０の構成を説明する。なお、ＭＭＥ＿Ｂ４２の構成も同様であるため、具体的な説明は省略する。
【００７１】
図４（ａ）にＭＭＥ＿Ａ４０の構成図を示す。図に示すように、ＭＭＥ＿Ａ４０は、ＩＰ移動通信ネットワークインターフェース部３２０と制御部３００と記憶部３４０で構成されている。ＩＰ移動通信ネットワークインターフェース部３２０と記憶部３４０は制御部３００と、バスを介して接続されている。
【００７２】
制御部３００はＭＭＥ＿Ａ４０を制御するための機能部である。制御部３００は、記憶部３４０に記憶されている各種プログラムを読みだして実行することにより各種処理を実現する。
【００７３】
ＩＰ移動通信ネットワークインターフェース部３２０は、ＭＭＥ＿Ａ４０が、ｅＮＢ４５と、ＳＧＷ３５や、ＨＳＳ５０と接続するための機能部である。
【００７４】
記憶部３４０は、図に示すように、ＭＭＥ情報３４２とコンテキスト情報３４４が記憶されている。
【００７５】
ＭＭＥ情報３４２には、図４（ｂ）に示すように、ＭＭＥ識別情報と、ＭＭＥのサービスエリア情報と、コアネットワークの識別情報とを対応づけて記憶してもよい。
【００７６】
ここで、ＭＭＥ識別情報はＭＭＥを識別できる情報であればよく、例えば、ＧＵＭＭＥＩ（Globally Unique MME Identifier）であってもよい。ＧＵＭＭＥＩとは、ＭＭＥの識別情報であり、移動通信事業者網の識別情報であるＰＬＭＮ(Public land mobile network)と、複数のＭＭＥを識別するＭＭＥのグループ番号と、ＭＭＥを識別するＭＭＥの番号が含まれている。
【００７７】
なお、ＭＭＥのグループ番号には、コアネットワークのタイプを識別できる情報を含めて記憶しても良い。その場合、ＭＭＥのグループ番号によってコアネットワークを識別することができる。さらに、ＭＭＥのグループ番号に対応づけて、対応するコアネットワーク配置されたＭＭＥをグループとして管理してもよい。これにより、ＭＭＥの識別情報とＭＭＥのグループ番号を基に、ＭＭＥが含まれるコアネットワークのタイプを識別してもよい。
【００７８】
この場合、ＭＭＥ情報３４２には、ＭＭＥの識別情報と、サービスエリア情報とを対応づけて記憶すればよく、コアネットワークのタイプ情報は必ずしも記憶しなくてもよい。
【００７９】
また、これらのＭＭＥの識別情報の管理方法は、必ずしもエリア情報を記憶せず、コアネットワークタイプとＭＭＥの識別情報を対応づけて記憶してもよい。
【００８０】
なお、これまで説明したエリア情報は、トラッキングエリア情報であってもよいし、ルーティングエリア情報であってもよい。
【００８１】
また、コンテキスト情報３４４は、図４（ｃ）に示すように、ＭＭＥに記憶されるＵＥに関する情報をＵＥごとに記憶している。ＵＥのコンテキスト情報とは、ＭＭＥが従来記憶するＭＭ（Mobility Management）コンテキストや、ＥＰＳ(Evolved Packet System)ベアラコンテキスト、または両方であってもよい。
【００８２】
なお、タイプ情報などのコアネットワークを識別する情報は、移動通信事業者による運用、管理の観点からコアネットワークを分けることを決定し、こうした決定に基づいて割り当てられた識別情報であってもよい。
【００８３】
もしくは、タイプ情報などのコアネットワークを識別する情報は、通信端末の種別や属性に対応づけられた情報であってもよい。例えば、Ｍ２Ｍ端末の接続するコアネットワークを識別する識別情報と、スマートフォンなどの一般通話端末の接続するコアネットワークを識別する識別情報などであってもよい。
【００８４】
また、タイプ情報などのコアネットワークを識別する情報は、移動通信事業者が提供するサービスに対応づけられた識別情報であってもよい。たとえば、Ｍ２Ｍ端末に提供する特定サービスを識別する情報と、ＩＭＳ等の通話サービスを提供する識別情報などとコアネットワークを識別する情報とを対応づけてもよい。この場合、サービス毎にコアネットワークを分離して構成することができる。なお、サービス毎に、サービスを提供する端末を管理することにより、各サービスを提供する端末毎に接続するコアネットワークを分けることができる。
【００８５】
［１．３．処理の説明］
以下では、ＭＭＥのリロケーション（再配置）を伴うトラッキングエリア更新手続きを説明する。従来では、ＵＥはコアネットワークへ位置を登録するためにトラッキングエリア更新手続きを行う。トラッキングエリア更新手続きはＵＥが主導して行う手続きであり、ＵＥがトラッキングエリア更新手続きを開始するトリガーは、一定時間毎に定期的に行うなどを含み、３ＧＰＰ仕様により複数の条件が規定されている。トラッキングエリア更新手続きは、ＵＥ＿Ａ１０がアイドルモードに遷移し、無線リソース等を解放した状態で移動した際においても、コアネットワークがＵＥ＿Ａ１０の位置を管理することができる等の目的のために実行される。
【００８６】
さらに、トラッキングエリア更新手続きでＭＭＥの変更が必要になる場合があり、その場合のためにＭＭＥのリロケーションを伴うトラッキングエリア更新手続きが規定されている。たとえば前回登録した位置からＵＥが著しく移動した場合や、前回ＵＥが位置登録を行ったトラッキングエリアと新たに位置登録を行うトラッキングエリアとが異なるなどの場合に、ＭＭＥの変更が必要となる。
【００８７】
本実施例におけるＭＭＥのリロケーションを伴うトラッキングエリア更新手続きは、従来とは異なり、コアネットワークタイプを維持した移動を実現する位置登録を行う。これにより、ＵＥは同一のオーバーレイネットワークへの接続を維持することができる。言い換えると、ＵＥは、同一のコアネットワークの識別情報（例えばタイプ情報）で識別されるコアネットワークへの接続を維持することができる。
【００８８】
［１．３．１．ＭＭＥリロケーションを伴うトラッキングエリア更新手続き］
図５にトラッキングエリア更新手続きを説明するための、システムモデルについて説明する。図に示すように、システムモデルは、ｅＮＢ４５とｅＮＢ４７とコアネットワーク（タイプ１）９０とコアネットワーク（タイプ２）９２により構成されている。
【００８９】
ｅＮＢ４５は、ＵＥ＿Ａ１０が移動する前に接続しているＬＴＥ基地局である。一方ｅＮＢ４７は、ＵＥ＿Ａ１０が移動後に接続するＬＴＥ基地局である。ｅＮＢ４７は、ｅＮＢ４５とアクセス領域以外は同様であるため、詳細な構成の説明は省略する。
【００９０】
コアネットワーク（タイプ１）９０は、メインのコアネットワークであり、ｅＮＢ４５とｅＮＢ４７と接続性がある。なお、ここでメインのコアネットワークとは、特に専用のコアネットワークを必要しないＵＥがＰＤＮ接続を確立させるコアネットワークであってもよい。
【００９１】
または、ｅＮＢ４５とｅＮＢ４７が接続するＵＥのコアネットワークタイプが分からない場合に、一時的に接続させるコアネットワークとしてコアネットワーク（タイプ１）９０を用いてもよい。
【００９２】
コアネットワーク（タイプ１）９０にはＭＭＥ＿Ａ４０とＭＭＥ＿Ｃ４４が含まれている。ＭＭＥ＿Ａ４０はｅＮＢ４５と接続性があり、ＭＭＥ＿Ｃ４４は、ｅＮＢ４７と接続性がある。ＭＭＥ＿Ｃ４４はＭＭＥ＿Ａ４０と同様の構成であるため、機能構成についての詳細な説明は省略する。
【００９３】
また、コアネットワーク（タイプ２）９２は、コアネットワークタイプがタイプ２であるＵＥ専用のコアネットワークであり、ｅＮＢ４５とｅＮＢ４７と接続性がある。
【００９４】
コアネットワーク（タイプ２）９２にはＭＭＥ＿Ｂ４２とＭＭＥ＿Ｄ４６が含まれている。ＭＭＥ＿Ｂ４２はｅＮＢ４５と接続性があり、ＭＭＥ＿Ｄ４６は、ｅＮＢ４７と接続性がある。ＭＭＥ＿Ｄ４６はＭＭＥ＿Ｂ４４と同様の構成であるため、機能構成についての詳細な説明は省略する。
【００９５】
以下、図６を用いて、ＵＥ＿Ａ１０から開始するトラッキングエリア更新手続きに伴うＭＭＥリロケーション手法を詳細に説明する。
【００９６】
なお、図６の説明においては、ｅＮＢ４５はＭＭＥ情報２４２において、コアネットワークタイプ１に対応づけてＭＭＥ＿Ａ４０を記憶している。さらに、コアネットワークタイプ２に対応づけてＭＭＥ＿Ｂ４２を対応づけて記憶している。
【００９７】
なお、ｅＮＢ４５は、デフォルトのＭＭＥとして、ＭＭＥ＿Ａ４０を記憶している。デフォルトのＭＭＥとは、特別な条件が無い場合にｅＮＢ４５が接続先として選択するＭＭＥである。また、ｅＮＢ４５は、ＭＭＥ＿Ａ４０などの特定のＭＭＥの情報をデフォルトのＭＭＥとして記憶せず、デフォルトのコアネットワークタイプ（タイプ１）を記憶してもよい。特別な条件が無い場合、ｅＮＢ４５はデフォルトのコアネットワークタイプ（タイプ１）に対応づけられて記憶されるＭＭＥ（ＭＭＥ＿Ａ４０）を、デフォルトのＭＭＥとして選択してもよい。
【００９８】
また、ｅＮＢ４７はＭＭＥ情報２４２において、コアネットワークタイプ１に対応づけてＭＭＥ＿Ｃ４４を記憶している。さらに、コアネットワークタイプ２に対応づけてＭＭＥ＿Ｄ４６を対応づけて記憶している。
【００９９】
なお、ｅＮＢ４７は、デフォルトのＭＭＥとして、ＭＭＥ＿Ｃ４４を記憶している。デフォルトのＭＭＥとは、特別な条件が無い場合にｅＮＢ４７が接続先として選択するＭＭＥである。また、ｅＮＢ４７は、ＭＭＥ＿Ｂ４２などの特定のＭＭＥの情報をデフォルトのＭＭＥとして記憶せず、デフォルトのコアネットワークタイプ（タイプ１）を記憶してもよい。特別な条件が無い場合、ｅＮＢ４７はデフォルトのコアネットワークタイプ（タイプ１）に対応づけられて記憶されるＭＭＥ（ＭＭＥ＿Ｃ４４）を、デフォルトのＭＭＥとして選択してもよい。
【０１００】
なお、本例では、ＭＭＥの識別情報には、コアネットワークのタイプを識別する情報を含まない場合を説明する。より具体的には、本例では、ｅＮＢ４７は、記憶部２４０に図３（ｂ）に示すようなＭＭＥ情報２４２を記憶し、ＭＭＥ識別情報としてのＧＵＭＭＥＩのグループ情報部分にはコアネットワークタイプを識別できる情報を含まない場合を説明する。
【０１０１】
つまり、図６では、ｅＮＢ４５とｅＮＢ４７は、ＭＭＥの識別情報を基にＭＭＥの接続するコアネットワークタイプを識別する機能を持たないとする。
【０１０２】
図６に示す一例では、ＵＥ＿Ａ１０はコアネットワークタイプがタイプ２のＵＥであり、初期状態として、ＵＥ＿Ａ１０は、ｅＮＢ４５を介してコアネットワーク（タイプ２）９２に接続している状態とする。その際、ＭＭＥ＿Ｂ４２がＵＥ＿Ａ１０の位置管理を実行している。
【０１０３】
ＵＥ＿Ａ１０で、トラッキングエリア更新要求を送信するためのトリガーが発生する（Ｓ４０２）。トラッキングエリアの更新要求の送信トリガーは、特に限定しないが、例えば、定期的に発生するトリガーであり、タイマーのカウントが終了したことなど、従来のトリガーと同様であってもよい。この時、ＵＥ＿Ａ１０はｅＮＢ４７の接続領域に移動しているとする。
【０１０４】
ＵＥ＿Ａ１０は、トラッキングエリア更新要求トリガーに基づき、ＵＥ＿Ａ１０はｅＮＢ４７にトラッキングエリア更新要求メッセージを送信する（Ｓ４０４）。
【０１０５】
ＵＥ＿Ａ１０は、メッセージにＵＥ＿Ａ１０の識別情報と、ＵＥ＿Ａ１０が移動前に接続しているＭＭＥ＿Ｂ４２の識別情報と、ＵＥ＿Ａ１０の位置を示すトラッキングエリア情報とを含めて送信してもよい。これにより、ＵＥ＿Ａ１０はｅＮＢ４７に、ＭＭＥで管理されるＵＥ＿Ａ１０のトラッキングエリア情報の更新を要求する。なお、ＵＥ＿Ａ１０の識別情報は、ＵＥ＿Ａ１０に対してグローバルユニークに割り当てられたＧＵＴＩ（Globally Unique Temporary Identity）を用いても良い。また、ＭＭＥ＿Ｂ４２の識別情報は、ＧＵＭＭＥＩを用いても良い。また、ＧＵＭＭＥＩは、ＧＵＴＩに含まれて構成されてもよい。
【０１０６】
以下では、ＵＥが移動前に接続しているＭＭＥを識別するＧＵＭＭＥＩをｏｌｄ  ＧＵＭＭＥＩと表記する。なお、ＵＥ＿Ａ１０は、ＵＥ＿Ａ１０がアタッチしたとき、またはＰＤＮコネクションを確立したとき、または前回のトラッキングエリア更新手続きなどにより、コアネットワークからｏｌｄ  ＧＵＭＭＥＩを取得して記憶しておいてよい。
【０１０７】
ｅＮＢ４７はＵＥ＿Ａ１０からトラッキングエリア更新要求メッセージを受信する。ｅＮＢ４７はメッセージに含まれるＵＥの識別情報と、ｏｌｄ  ＧＵＭＭＥＩなどの移動前のＭＭＥの識別情報と、トラッキングエリア情報を取得する。
【０１０８】
次に、ｅＮＢ４７は、トラッキングエリア更新要求メッセージの受信に基づいて、ＭＭＥの選択処理を実行する（Ｓ４０６）。
【０１０９】
ｅＮＢ４７が、ｏｌｄ  ＧＵＭＭＥＩに対して接続性がある場合は、ｏｌｄ  ＧＵＭＭＥＩに対応するＭＭＥを選択し、接続してもよい。一方、本実施形態のように、ｅＮＢ４７が、ｏｌｄ  ＧＵＭＭＥＩで識別されるＭＭＥ＿Ｂ４２に対して接続性がない場合、または、記憶部に記憶されていない場合、ｅＮＢ４７は一時的に接続するＭＭＥを選択する。
【０１１０】
ＭＭＥの選択方法は特に指定しないが、デフォルトのＭＭＥを選択してもよい。ここでは、デフォルトのＭＭＥのＭＭＥ＿Ｃ４４を選択する。
【０１１１】
次に、ｅＮＢ４７はＭＭＥの選択処理に基づき、ＭＭＥ＿Ｃ４４に、トラッキングエリア更新要求メッセージを送信する（Ｓ４０８）。
【０１１２】
ｅＮＢ４７は、ＵＥ＿Ａ１０は、メッセージにＵＥ＿Ａ１０の識別情報と、ＵＥ＿Ａ１０が移動前に接続しているＭＭＥ＿Ｂ４２の識別情報と、ＵＥ＿Ａ１０の位置を示すトラッキングエリア情報とを含めて送信してもよい。
【０１１３】
これにより、ｅＮＢ４７は、ＭＭＥ＿Ｃ４４に、ＵＥ＿Ａ１０のコンテキストを、移動前にＵＥ＿Ａ１０が接続するＭＭＥから受信し記憶することと、ＵＥ＿Ａ１０のコンテキストに含まれるＵＥ＿Ａ１０のトラッキングエリアの更新を要求してもよい。
【０１１４】
ＭＭＥ＿Ｃ４４は、ｅＮＢ４７からトラッキングエリア更新要求メッセージを受信する。ＭＭＥ＿Ｃ４４はメッセージに含まれる、移動前にＵＥ＿Ａ１０が接続しているＭＭＥ＿Ｂ４２の識別情報（例えばｏｌｄ  ＧＵＭＭＥＩ）を取得する。ＭＭＥ＿Ｃ４４はｏｌｄ  ＧＵＭＭＥＩに基づき、ＭＭＥ＿Ｂ４２にコンテキスト要求メッセージを送信する（Ｓ４１０）。これにより、ＭＭＥ＿Ｃ４４は、ＭＭＥ＿Ｂ４２に対してＵＥ＿Ａ１０のコンテキストの送信を要求する。
【０１１５】
メッセージには、ｅＮＢ４７から受信したトラッキングエリア更新要求メッセージを含める。更に、ＭＭＥ＿Ｃ４４は、ＭＭＥ＿Ｃ４４が接続するコアネットワークの識別情報を含めてメッセージを送信してもよい。具体的には、ＭＭＥ＿Ｃ４４が接続するコアネットワークのタイプ情報（タイプ１）を含めてメッセージを送信してもよい。
【０１１６】
ＭＭＥ＿Ｂ４２は、ＭＭＥ＿Ｃ４４からコンテキスト要求メッセージを受信する。これにより、ＭＭＥ＿Ｂ４２はメッセージに含まれるＭＭＥ＿Ｃ４４のコアネットワークの識別情報を取得する。
【０１１７】
ＭＭＥ＿Ｂ４２は、コアネットワークの識別情報を取得に基づいて、ＭＭＥ再選択の決定処理を実行する（Ｓ４１２）。
【０１１８】
ＭＭＥ再選択の決定処理では、ＭＭＥ＿Ｂ４２は、取得したコアネットワークの識別情報と、ＭＭＥ_Ｂ４２が接続するコアネットワークとの識別情報との比較に基づいて再選択を行うか否かを決定しても良い。なお、ＭＭＥ再選択の決定処理に先だって、ＭＭＥ＿Ｂ４２は、ＭＭＥ＿Ｂ４２が接続するコアネットワークの識別情報を予め記憶しておいてよい。より具体的には、ＭＭＥ＿Ｂ４２は、ＭＭＥ＿Ｂ４２が接続するコアネットワークのタイプ情報（タイプ２）を予め記憶しておいてよい。
【０１１９】
さらに、ＭＭＥ再選択の決定処理のより具体的な例としては、ＭＭＥ＿Ｂ４２は、取得したコアネットワークの識別情報と、ＭＭＥ＿Ｂ４２が接続するコアネットワークの識別情報とが同一のコアネットワークである場合には、ＭＭＥの再選択は行わないと決定しても良い。
【０１２０】
また、ＭＭＥ＿Ｂ４２は、取得したコアネットワークの識別情報と、ＭＭＥ＿Ｂ４２が接続するコアネットワークの識別情報とが異なるコアネットワークである場合には、ＭＭＥの再選択を行うことを決定しても良い。
【０１２１】
本実施形態の例では、ＭＭＥ＿Ｂ４２は、取得したコアネットワークの識別情報であるタイプ１を示すタイプ情報と、ＭＭＥ＿Ｂ４２が接続するコアネットワークの識別情報であるタイプ２を示すタイプ情報とが異なるため、ＭＭＥの再選択を行うことを決定する。
【０１２２】
ＭＭＥ＿Ｂ４２は、受信したコンテキスト要求の応答としてＭＭＥ＿Ｃ４４にコンテキスト応答メッセ―ジを送信する（Ｓ４１４）。
【０１２３】
ＭＭＥ＿Ｂ４２は、ＭＭＥ再選択の決定処理に基づいて、ＭＭＥ再選択を行なう場合には、メッセージには、コンテキスト要求に対して拒絶応答であることを示す情報要素と、他のＭＭＥへリダイレクトの実行を要求することを示す識別情報とを含めてもよい。なお、この場合には、ＭＭＥ＿Ｂ４２はメッセージにＵＥ＿Ａ１０のコンテキストを含めずに送信してもよい。
【０１２４】
ここで、リダイレクトとは、ＭＭＥの再選択を意味してもよく、新しいＭＭＥへトラッキングエリア更新要求メッセージを送信することを意味してもよく、またその両方を意味してもよい。
【０１２５】
また、ＭＭＥ＿Ｂ４２は、ｅＮＢ４７がリダイレクトするＭＭＥを識別する情報を含めてメッセージを送信してもよい。このように、ＭＭＥ＿Ｂ４２はメッセージに、指定するＭＭＥの識別情報を含めることにより、リダイレクト先のＭＭＥを指定してもよい。
【０１２６】
ここで、他のＭＭＥへリダイレクトの実行を要求することを示す識別情報は、ｆｌａｇ１等のフラグを用いてもよいし、リダイレクト先のＭＭＥを識別する情報を用いても良い。
【０１２７】
また、ＭＭＥ＿Ｂ４２は、他のＭＭＥへリダイレクトの実行を要求することを示す識別情報として、タイプ情報などのＭＭＥ＿Ｂ４２の接続するコアネットワークの識別情報を含めて送信してもよい。
【０１２８】
なお、ＭＭＥ＿Ｂ４２は、リダイレクトの実行を要求する際のコンテキスト応答メッセージとして、リダイレクト要求メッセージや、コンテキスト応答の拒絶などの特定の制御情報を送信してもよい。また、コンテキスト応答の拒絶応答メッセージを送信する場合には、リダイレクトが必要であることを示すＣａｕｓｅ  Ｖａｌｕｅ等の理由情報を含めて送信してもよい。
【０１２９】
一方で、ＭＭＥ＿Ｂ４２は、ＭＭＥ再選択の決定処理に基づいて、ＭＭＥ再選択を行わない場合には、コンテキスト要求メッセージの受信に基づき、ＭＭＥ＿Ｃ４４にコンテキスト応答を送信してもよい（Ｓ４１４）。
【０１３０】
その際、ＭＭＥ＿Ｂ４２は、メッセージにＵＥ＿Ａ１０のコンテキストと、ＭＭＥ＿Ｂ４２のコアネットワークタイプの識別情報と、ＧＵＭＭＥＩ等のＭＭＥ＿Ｂ４２を識別する識別情報を含めて送信してもよい。
【０１３１】
ＭＭＥ＿Ｃ４４はＭＭＥ＿Ｂ４２からコンテキスト応答メッセージを受信する。
【０１３２】
さらに、ＭＭＥ＿Ｃ４４は、受信したコンテキスト応答メッセージに基づいて、リダイレクトの要否を検出する。ＭＭＥ＿Ｃ４４は、コンテキスト応答メッセージにリダイレクトの実行を要求することを示す識別情報が含まれていることや、コンテキスト応答メッセージがリダイレクト要求メッセージであることや、コンテキスト応答メッセージコンテキスト応答の拒絶応答メッセージであることや、メッセージに含まれるＣａｕｓｅ  Ｖａｌｕｅ等の理由情報がリダイレクトの必要性を示すことなどにより、リダイレクトが必要であると検出してもよい。
【０１３３】
もしくは、こうした情報がないことにより、リダイレクトが必要ないことを検出してもよいし、ＵＥ＿Ａ１０のコンテキストを受信したことによりリダイレクトが必要無いと検出してもよい。
【０１３４】
なお、ここまで説明した手続きでは、ＭＭＥ＿Ｂ４２において再選択の決定処理（Ｓ４１２）を実行し、リダイレクトの要否を決定したが、ＭＭＥ＿Ｂ４２は再選択の決定処理を行わず、ＭＭＥ_Ｃ４４が再選択の決定処理を行っても良い。
【０１３５】
この場合、ＭＭＥ_Ｃ４４は、ＭＭＥ＿Ｂ４２に送信するコンテキスト要求（Ｓ４１０）には、ＭＭＥ＿Ｃ４４が接続するコアネットワークの識別情報を含めずに送信してもよい。
【０１３６】
さらに、ＭＭＥ＿Ｂ４２は、再選択の決定処理（Ｓ４１２）は行わず、コンテキスト要求メッセージの受信に基づき、ＭＭＥ＿Ｃ４４にコンテキスト応答を送信してもよい（Ｓ４１４）。
【０１３７】
その際、ＭＭＥ＿Ｂ４２は、メッセージにＵＥ＿Ａ１０のコンテキストと、ＭＭＥ＿Ｂ４２のコアネットワークタイプの識別情報と、ＧＵＭＭＥＩ等のＭＭＥ＿Ｂ４２を識別する識別情報を含めて送信してもよい。
【０１３８】
さらに、ＭＭＥ＿Ｂ４２は、ＵＥ＿Ａ１０のコンテキスト情報をただちに削除せず、保持しても良い。なお、ＵＥ＿Ａ１０のコンテキスト情報は、コンテキスト応答送信後、予め設定した一定時間の経過後、削除してもよい。このように、ＭＭＥ＿Ｂ４２は再度実行されるコンテキスト要求に対して応答できるよう、ＵＥ＿Ａ１０のコンテキスト情報を削除せず、保持し続けても良い。
【０１３９】
ＭＭＥ＿Ｃ４４は、コンテキスト応答を受信し、ＭＭＥ再選択の決定処理を実行する（Ｓ４１５）。
【０１４０】
ＭＭＥ再選択の決定処理では、ＭＭＥ＿Ｃ４４は、コンテキスト応答で取得したコアネットワークの識別情報と、ＭＭＥ_Ｃ４４が接続するコアネットワークとの識別情報との比較に基づいて再選択を行うか否かを決定しても良い。なお、ＭＭＥ再選択の決定処理に先だって、ＭＭＥ＿Ｃ４４は、ＭＭＥ＿Ｃ４４が接続するコアネットワークの識別情報を予め記憶しておいてよい。より具体的には、ＭＭＥ＿Ｃ４４は、ＭＭＥ＿Ｃ４４が接続するコアネットワークのタイプ情報（タイプ１）を予め記憶しておいてよい。
【０１４１】
さらに、ＭＭＥ再選択の決定処理のより具体的な例としては、ＭＭＥ＿Ｃ４４は、取得したコアネットワークの識別情報と、ＭＭＥ＿Ｂ４２が接続するコアネットワークの識別情報とが同一のコアネットワークである場合には、ＭＭＥの再選択は行わないことを決定しても良い。
【０１４２】
また、ＭＭＥ＿Ｃ４４は、取得したコアネットワークの識別情報と、ＭＭＥ＿Ｃ４４が接続するコアネットワークの識別情報とが異なるコアネットワークである場合には、ＭＭＥの再選択を行うと決定しても良い。
【０１４３】
本実施形態の例では、ＭＭＥ＿Ｃ４４は、取得したコアネットワークの識別情報であるタイプ２を示すタイプ情報と、ＭＭＥ＿Ｃ４４が接続するコアネットワークの識別情報であるタイプ１を示すタイプ情報とが異なるため、ＭＭＥの再選択を行うことを決定する。
【０１４４】
このように、ＭＭＥ＿Ｃ４４が再選択の決定処理に基づいて、リダイレクトの要否を検出してもよい。
【０１４５】
なお、従来のトラッキングエリア更新手続きでは、移動前のＭＭＥから更新手続きの拒絶応答を受信したＭＭＥは、ＵＥ、ＨＳＳを含めた制御情報の送受信により、認証とセキュリティーの確立手続きを実行するが、しかし、本実施形態のように、ＭＭＥ＿Ｃ４４がリダイレクトが必要であることを検出した場合には、認証とセキュリティー処理を省略し、実行しなくてもよい（Ｓ４１７）。
【０１４６】
より具体的には、ＭＭＥ＿Ｃ４４はＨＳＳ６０等からＵＥ＿Ａ１０の接続するコアネットワークの識別情報や、コアネットワークの識別情報を特定する為の端末属性情報等の加入者情報の取得を省略してもよい。
【０１４７】
なお、ＭＭＥ＿Ｃ４４は、リダイレクトが必要無いと検出した場合には、リダイレクト要求は送信せず、従来のトラッキングエリア更新手続きに基づいて、新しいＭＭＥを識別するＧＵＭＭＥＩを含むトラッキングエリア更新応答メッセージをｅＮＢ４７に送信する。
【０１４８】
さらに、トラッキングエリア更新応答メッセージを受信したｅＮＢ４７は、新しいＭＭＥを識別するＧＵＭＭＥＩを含むトラッキングエリア更新応答をＵＥ＿Ａ１０に送信し、トラッキングエリア更新手続きを完了する。
【０１４９】
次に、ＭＭＥ＿Ｃ４４は、リダイレクトが必要と検出した場合には、ｅＮＢ４７にリダイレクト要求メッセージを送信する（Ｓ４１６）。メッセ―ジには、他のＭＭＥにリダイレクトを要求することを示す情報要素を含めて送信してもよいし、リダイレクトを要求することを示す特定の制御情報を送信してもよい。
【０１５０】
更に、ＭＭＥ＿Ｃ４４がＭＭＥ＿Ｂ４２から受信したメッセージにリダイレクト先のＭＭＥを指定するＭＭＥの識別情報が含まれていた場合、ＭＭＥ＿Ｃ４４は、メッセージに指定のＭＭＥの識別情報を含めてもよい。または、ＭＭＥ＿Ｃ４４は、指定のＭＭＥの識別情報を含むリダイレクト要求メッセージを、更に送信してもよい。
【０１５１】
また、ＭＭＥ＿Ｃ４４は、ＭＭＥ＿Ｂ４２から受信したメッセージに、リダイレクト先のＭＭＥの識別情報が含まれていない場合、ＭＭＥ＿Ｂ４２から受信したメッセージに含まれるＭＭＥ＿Ｂ４２の接続するコアネットワークの識別情報等に基づいて、ＭＭＥ＿Ｃ４４は、記憶部に含まれるＭＭＥ情報から、ｅＮＢ４７のリダイレクト先のＭＭＥを選択し、選択したＭＭＥの識別情報をリダイレクト要求メッセージに含めてもよい。
【０１５２】
また、ＭＭＥ＿Ｃ４４は、ＭＭＥの識別情報を含めるのではなく、ＭＭＥ＿Ｂ４２の接続するコアネットワークの識別情報を含めてメッセージを送信してもよい。または、ＭＭＥ＿Ｃ４４は、ＭＭＥ＿Ｂ４２の接続するコアネットワークの識別情報を含むリダイレクト要求メッセージを、更に送信してもよい。
【０１５３】
ｅＮＢ４７はＭＭＥ＿Ｃ４４から、トラッキングエリア更新要求メッセージの応答としてリダイレクト要求メッセージを受信する。ｅＮＢ４７はメッセージに含まれる、他のＭＭＥへのリダイレクト要求を示す情報要素に基づき、ＭＭＥの再選択処理を実行する（Ｓ４１８）。
【０１５４】
ＭＭＥの再選択処理では、ｅＮＢ４７は、ＭＭＥ＿Ｃ４４から受信したメッセージに、指定されたリダイレクト先のＭＭＥの識別情報が含まれている場合、リダイレクト先のＭＭＥとして、メッセージに含まれたＭＭＥを選択する。
【０１５５】
もしくは、ＭＭＥ＿Ｃ４４から受信したメッセージに、指定されたリダイレクト先のコアネットワークの識別情報が含まれていた場合、受信したコアネットワークの識別情報に基づいてＭＭＥを選択してもよい。例えば、ｅＮＢ４７は予めコアネットワークの識別情報とＭＭＥとを対応づけて記憶しておき、受信したコアネットワークの識別情報に対応するＭＭＥを選択してもよい。
【０１５６】
ｅＮＢ４７はＭＭＥの再選択処理に基づいて、新しいＭＭＥとしてＭＭＥ＿Ｄ４６を選択し、ＭＭＥ_Ｄ４６にトラッキングエリア更新要求メッセージを送信する（Ｓ４２０）。
【０１５７】
メッセージには、ＵＥ＿Ａ１０が移動前に接続していたＭＭＥの識別情報（ｏｌｄ  ＧＵＭＭＥＩ（ＧＵＭＭＥＩ＿Ｂ））と、ＵＥ＿Ａ１０の位置を示すトラッキングエリア情報と、を含める。
【０１５８】
移動前のＭＭＥの識別情報は、ここでは、ＭＭＥ＿Ｂ４２のＧＵＭＭＥＩである。また、トラッキングエリア識別情報は、ＵＥの位置登録エリア情報である。
【０１５９】
なお、ｅＮＢ４７は、リダイレクト要求メッセージの受信したことにより、ＭＭＥ_Ｄ４６にトラッキングエリア更新要求メッセージを送信してもよい。また、ｅＮＢ４７は、ＭＭＥの再選択処理によりＭＭＥが選択できたことによりＭＭＥ_Ｄ４６にトラッキングエリア更新要求メッセージを送信してもよい。また、ｅＮＢ４７は、リダイレクト先のコアネットワークの識別情報に対応するコアネットワークに含まれて構成されるＭＭＥの識別情報を記憶していることにより、ＭＭＥ_Ｄ４６にトラッキングエリア更新要求メッセージを送信してもよい。また、ｅＮＢ４７は、リダイレクト先のコアネットワークの識別情報を記憶していることにより、ＭＭＥ_Ｄ４６にトラッキングエリア更新要求メッセージを送信してもよい。もしくは、これらの条件を２つ以上組み合わせた条件に基づいて、ＭＭＥ_Ｄ４６にトラッキングエリア更新要求メッセージを送信してもよい。
【０１６０】
ＭＭＥ＿Ｄ４６は、ｅＮＢ４７からトラッキングエリア更新要求を受信する。ＭＭＥ＿Ｄ４６はメッセージに含まれるＭＭＥの識別情報に基づき、ＭＭＥ＿Ｂ４２にコンテキスト要求メッセージを送信する（Ｓ４２２）。
【０１６１】
メッセージには、ｅＮＢ４７から受信したトラッキングエリア更新要求メッセージを含める。更に、ＭＭＥ＿Ｄ４６のコアネットワークタイプの識別情報を含めてもよい。
【０１６２】
ＭＭＥ＿Ｂ４２は、ＭＭＥ＿Ｄ４６からコンテキスト要求メッセージを受信する。ＭＭＥＢ４２はメッセージに含まれるＭＭＥ＿Ｄ４６のコアネットワークタイプの識別情報を取得し、取得したコアネットワークタイプと、ＭＭＥ＿Ｂ４２のコアネットワークタイプを比較し、ＭＭＥ再選択不要の決定をする（Ｓ４２４）。
【０１６３】
ＭＭＥ＿Ｂ４２は、再選択不要の決定に基づき、コンテキスト応答メッセージをＭＭＥ＿Ｄ４６に送信する（Ｓ４２６）。
【０１６４】
メッセージには、ＭＭＥ＿Ｂ４２の記憶部に記憶されているＵＥ＿Ａ１０のコンテキストであり、ＭＭコンテキストや、ＥＰＳベアラコンテキストが含まれる。
【０１６５】
一方、ＭＭＥ＿Ｂ４２がＭＭＥ＿Ｄ４６から受信したコンテキスト要求メッセージに、ＭＭＥ＿Ｄ４６のコアネットワークタイプの識別情報を含めない場合、ＭＭＥ＿Ｂ４２はメッセージの受信に基づき、ＭＭＥ＿Ｄ４６にコンテキスト応答を送信してもよい（Ｓ４２６）。
【０１６６】
メッセージには、ＵＥ＿Ａ１０のコンテキストと、ＭＭＥ＿Ｂ４２のコアネットワークタイプの識別情報を含める。ＵＥ＿Ａ１０のコンテキストには、従来のＭＭコンテキストやＥＰＳベアラコンテキストが含まれてもよい。  ＭＭＥ＿Ｄ４６はＭＭＥ＿Ｂ４２からコンテキスト要求メッセージの応答として、コンテキスト応答メッセージを受信する。
【０１６７】
この時、ＭＭＥ＿Ｄ４６は、受信メッセージに、ＵＥ＿Ａ１０のコンテキストと、ＭＭＥ＿Ｂ４２のコアネットワークタイプの識別情報が含まれている場合、ＭＭＥ＿Ｂ４２のコアネットワークタイプを取得し、ＭＭＥ＿Ｄ４６のコアネットワークタイプと比較する。比較の結果ＭＭＥ＿Ｄ４６は、再選択不要が決定される（Ｓ４２７）。
【０１６８】
ＭＭＥ＿Ｄ４６は、コンテキストの受信、または再選択不要の決定に基づき、メッセージに含まれるＵＥ＿Ａ１０のコンテキストを記憶部に記憶する。更に、ｅＮＢ４７から受信したトラッキングエリア更新要求メッセージに含まれる移動前のＵＥ＿Ａ１０の位置を示すトラッキングエリア情報（例えば、トラッキングエリアＩＤ）を用いて、コンテキストに含まれるトラッキングエリア情報を更新する。
【０１６９】
ＭＭＥ＿Ｄ４６は、コンテキスト応答メッセージの受信に基づき、ｅＮＢ４７にトラッキングエリア更新応答メッセージを送信する（Ｓ４２８）。メッセージには、トラッキングエリアの更新が完了したことを通知する情報要素と、新しいＭＭＥであるＭＭＥ＿Ｄ４６の識別情報（例えば、ＧＵＭＭＥＩ）が含まれている。
【０１７０】
ｅＮＢ４７は、ＭＭＥ＿Ｄ４６からトラッキングエリア更新応答メッセージを受信する。ｅＮＢ４７はメッセージに含まれる新しいＭＭＥの識別情報を取得し、メッセージの受信に基づき、ＵＥ＿Ａ１０にトラッキングエリア更新応答メッセージを送信する（Ｓ４３０）。メッセージには、トラッキングエリア更新が完了したことを通知する情報要素と、新しいＭＭＥであるＭＭＥ＿Ｄ４６の識別情報（例えば、ＧＵＭＭＥＩ）を含める。
【０１７１】
ＵＥ＿Ａ１０は、ｅＮＢ４７から、トラッキングエリア更新応答メッセージを受信する。受信したメッセージに含まれる新しいＭＭＥの識別情報を取得する。
【０１７２】
以上により、トラッキングエリア更新手続きに伴うＭＭＥのリロケーションをコアネットワークのタイプを変更することなく実現することができる。
【０１７３】
なお、トラッキングエリアの更新手続きが成功したことにより、ｅＮＢ４７は新しいＭＭＥからページング要求を受信し、ＵＥが、サービス要求手続きまたはトラッキングエリア更新手続きを開始してもより。
【０１７４】
更に、トラッキングエリアの更新手続きが成功したことにより、ＵＥ＿Ａ１０は、新しいＭＭＥにサービス要求を送信し、サービス要求手続きを実現することができる。
【０１７５】
［１．３．２．トラッキングエリア更新手続き変形例１］
次に、図５のシステムモデルにおいて、ＭＭＥ＿Ｄ４６が存在しない場合について説明する。
【０１７６】
より具体的には、ｅＮＢ４５はＭＭＥ情報２４２において、コアネットワークタイプ１に対応づけてＭＭＥ＿Ａ４０を記憶している。さらに、コアネットワークタイプ２に対応づけてＭＭＥ＿Ｂ４２を対応づけて記憶している。
【０１７７】
なお、ｅＮＢ４５は、デフォルトのＭＭＥとして、ＭＭＥ＿Ａ４０を記憶している。デフォルトのＭＭＥとは、特別な条件が無い場合にｅＮＢ４５が接続先として選択するＭＭＥである。また、ｅＮＢ４５は、ＭＭＥ＿Ａ４０などの特定のＭＭＥの情報をデフォルトのＭＭＥとして記憶せず、デフォルトのコアネットワークタイプ（タイプ１）を記憶してもよい。特別な条件が無い場合、ｅＮＢ４５はデフォルトのコアネットワークタイプ（タイプ１）に対応づけられて記憶されるＭＭＥ（ＭＭＥ＿Ａ４０）を、デフォルトのＭＭＥとして選択してもよい。
【０１７８】
また、ｅＮＢ４７はＭＭＥ情報２４２において、コアネットワークタイプ１に対応づけてＭＭＥ＿Ｃ４４を記憶している。さらに、コアネットワークタイプ２に対応づけたＭＭＥの情報は記憶していない。
【０１７９】
なお、ｅＮＢ４７は、デフォルトのＭＭＥとして、ＭＭＥ＿Ｃ４４を記憶している。デフォルトのＭＭＥとは、特別な条件が無い場合にｅＮＢ４７が接続先として選択するＭＭＥである。また、ｅＮＢ４７は、ＭＭＥ＿Ｂ４２などの特定のＭＭＥの情報をデフォルトのＭＭＥとして記憶せず、デフォルトのコアネットワークタイプ（タイプ１）を記憶してもよい。特別な条件が無い場合、ｅＮＢ４７はデフォルトのコアネットワークタイプ（タイプ１）に対応づけられて記憶されるＭＭＥ（ＭＭＥ＿Ｃ４４）を、デフォルトのＭＭＥとして選択してもよい。
【０１８０】
このように、ｅＮＢ４７がタイプ２で識別されるコアネットワークタイプに接続性を有しない場合に、タイプ２で識別されたコアネットワークに接続するＵＥ＿Ａ１０がトラッキングエリア更新要求を送信した場合について、具体的に説明する。
【０１８１】
ＵＥ＿Ａ１０がトラッキングエリア更新要求を送信するトリガー発生からｅＮＢ４７がリダイレクト要求を送信するまで（Ｓ４０２〜Ｓ４１６）は、１．３．１章のＭＭＥリロケーションを伴うトラッキングエリア更新手続きで、図６を用いて説明したトラッキングエリア更新手続きの処理と同様でよいため、手続きの詳細な説明は省略する。
【０１８２】
Ｓ４１６以降の手続きを、図７を用いて説明する。ｅＮＢ４７は、設定情報に基づいて、トラッキングエリア更新手続きを拒絶するか、コアネットワークを変更してトラッキングエリア更新手続きを実行するかを決定してもよい。なお、設定情報は、基地局運用者によってｅＮＢ４７に設定された設定情報であってもよいし、ネットワーク運用事業者によって決定されたオペレータポリシーに基づいた設定情報であってもよい。
【０１８３】
なお、トラッキングエリア更新手続きの拒絶は、ｅＮＢ４７が、ＵＥの要求するコアネットワークと合致するコアネットワークに構成されるＭＭＥに対して、接続性がない場合に実行されてよい。
【０１８４】
もしくは、トラッキングエリア更新手続きの拒絶は、ＵＥの要求するコアネットワークの識別情報と合致するコアネットワークに構成されるＭＭＥの情報を記憶していない場合に実行されてもよい。
【０１８５】
もしくは、トラッキングエリア更新手続きの拒絶は、ＵＥの要求するコアネットワークの識別情報を記憶していない場合に実行されてもよい。
【０１８６】
図７（ａ）では、設定情報に基づいて、ｅＮＢ４７がトラッキングエリア更新要求を拒絶する場合について説明する。
【０１８７】
ｅＮＢ４７は、ＭＭＥ＿Ｃ４４からリダイレクトメッセージを受信する（Ｓ４１６）。受信メッセージに含まれる、他のＭＭＥにリダイレクトを要求することを示す情報要素を取得し、取得に基づき、ＭＭＥの再選択を試みる。しかし、ｅＮＢ４７は、ｅＮＢ４７の記憶部２４０に含まれるＭＭＥ情報２４２により、すでに選択したＭＭＥ以外のＭＭＥでＵＥ＿Ａ１０がサービスエリアであるＭＭＥが他に選択できないことを確認する（Ｓ５０２）。つまり、ｅＮＢ４７は、ｅＮＢ４７がコアネットワーク（タイプ２）９２に接続性がないことを確認する。
【０１８８】
さらに、ｅＮＢ４７は設定情報に基づき、トラッキングエリア更新手続きを拒絶して終了するために、ＵＥ＿Ａ１０にトラッキングエリア更新拒絶応答メッセージを送信する（Ｓ５０４）。メッセージには、トラッキングエリア更新要求を拒絶したことを示す情報要素が含まれている。
【０１８９】
なお、トラッキングエリア更新拒絶応答メッセージは、ＵＥ＿Ａ１０が送信するトラッキングエリア更新要求メッセージに応答する制御メッセージであり、トラッキングエリアの更新の失敗もしくは拒絶することを通知する情報が含まれている制御メッセージであればよい。
【０１９０】
ＵＥ＿Ａ１０は、トラッキングエリア更新拒絶応答メッセージを受信する。ＵＥ＿Ａ１０は、トラッキングエリア更新拒絶応答メッセージに含まれるラッキングエリア更新要求を拒絶したことを示す情報に基づいて、トラッキングエリア更新手続きが失敗したことを検出する。
【０１９１】
また、ＵＥ＿Ａ１０は、ＵＥ＿Ａ１０は、トラッキングエリア更新拒絶応答メッセージに含まれるラッキングエリア更新要求を拒絶したことを示す情報に基づいて、ＰＤＮコネクションを切断してもよい。
【０１９２】
具体的には、ＵＥ＿Ａ１０が主導してＰＤＮ切断手続きを実行することにより、ＰＤＮコネクションを切断してもよい。なお、ＵＥ＿Ａ１０はＡＰＮ（Access Point Name）を含めた切断要求メッセージを開始し、切断要求メッセージに対する応答メッセージを受信してＰＤＮ切断手続きを完了してもよい。
【０１９３】
次に、図７（ｂ）を用いて、設定情報が、コアネットワークタイプが異なる場合でも接続を受け入れるように設定されている場合について説明する。
【０１９４】
ｅＮＢ４７は、ＭＭＥ＿Ｃ４４からリダイレクトメッセージを受信する（Ｓ４１６）。受信メッセージに含まれる、他のＭＭＥにリダイレクトを要求することを示す情報要素を取得し、取得に基づき、ＭＭＥの再選択を試みる。しかし、ｅＮＢ４７は、ｅＮＢ４７の記憶部２４０に含まれるＭＭＥ情報２４２により、すでに選択したＭＭＥ以外のＭＭＥでＵＥ＿Ａ１０がサービスエリアであるＭＭＥが他に選択できないことを確認する（Ｓ５０２）。つまり、ｅＮＢ４７は、ｅＮＢ４７がコアネットワーク（タイプ２）９２に接続性がないことを確認する。
【０１９５】
ｅＮＢ４７で、ＭＭＥの再選択が不可であると判断された場合、ｅＮＢ４７は設定情報に基づいて、異なる識別情報のコアネットワークに位置登録するために、トラッキングエリア更新要求メッセージをＭＭＥ＿Ｃ４４に送信する（Ｓ５０６）。
【０１９６】
メッセージには、移動前のＭＭＥの識別情報と、ＵＥ＿Ａ１０の位置を示すトラッキングエリア情報と、ｆｌａｇ２等のＭＭＥの再選択の要求を停止することを意味する識別情報を含める。
【０１９７】
これにより、ｅＮＢ４７は、コアネットワークを変更して、ＭＭＥに記憶するトラッキングエリア情報を更新することを要求してもよい。
【０１９８】
ＭＭＥ＿Ｃ４４はトラッキングエリア更新要求メッセージをｅＮＢ４７から受信する。ＭＭＥ＿Ｃ４４は、メッセージに含まれる移動前のＭＭＥの識別情報ｏｌｄ  ＧＵＭＭＥＩとｆｌａｇ２等の識別情報を取得する。さらに、ＭＭＥ＿Ｃ４４は、取得したｏｌｄ  ＧＵＭＭＥＩに基づき、ＭＭＥ＿Ｂ４２にコンテキスト要求メッセージを送信し、再度ＵＥ＿Ａ１０のコンテキストを要求する（Ｓ５０８）。
【０１９９】
メッセージには、ｅＮＢ４７から受信したメッセージを含める。更に、ＭＭＥ＿Ｃ４４のコアネットワークタイプの識別情報を含めてもよい。
【０２００】
ＭＭＥ＿Ｂ４２は、ＭＭＥ＿Ｃ４４からコンテキスト要求メッセージを受信する。さらに、ＭＭＥ＿Ｂ４２は、ＭＭＥ＿Ｃ４４にコンテキスト応答メッセージを送信する（Ｓ５１０）。
【０２０１】
ここで、ＭＭＥ＿Ｂ４２は、ＭＭＥ＿Ｃ４４から受信したメッセージに含まれるｆｌａｇ２等の識別情報を受信したことにより、コンテキスト要求を受信した際にＭＭＥの再設定の決定処理を行わず、コンテキスト応答メッセージを送信してもよい。
【０２０２】
なお、ＭＭＥ＿Ｂ４２は、コンテキスト応答メッセージには、ＵＥ＿Ａ１０のコンテキストを含める。更にＭＭＥ＿Ｂ４２のコアネットワークタイプを含めてもよい。
【０２０３】
ＭＭＥ＿Ｃ４４はＭＭＥ＿Ｂ４２からコンテキスト応答メッセージを受信する。ＭＭＥ＿Ｃ４４は、ｅＮＢ４７から受信したトラッキングエリア更新要求メッセージに含まれるｆｌａｇ２に基づき、ＭＭＥ＿Ｂ４２から受信したメッセージに含まれるＵＥ＿Ａ１０のコンテキストを記憶部に記憶する。更に、ＭＭＥ＿Ｃ４４は、記憶部に記憶される、ＵＥ＿Ａ１０のコンテキストに含まれるＵＥ＿Ａ１０のトラッキングエリア情報を、ｅＮＢ４７から受信したトラッキングエリア更新要求メッセージに含まれるＵＥ＿Ａ１０のトラッキングエリア情報に更新する。
【０２０４】
次に、ＭＭＥ＿Ｃ４４は、ｅＮＢ４７にトラッキングエリア更新応答メッセージを送信する（Ｓ５１４）。
【０２０５】
ここで、ＭＭＥ＿Ｃ４４は、ｅＮＢ４７から受信したメッセージに含まれるｆｌａｇ２等の識別情報を受信したことにより、ＭＭＥ＿Ｂ４２からコンテキスト応答を受信した際にＭＭＥの再設定の決定処理を省略して行わず、トラッキングエリア更新応答メッセージを送信してもよい。
【０２０６】
もしくは、ＭＭＥ＿Ｃ４４は、ｅＮＢ４７から受信したトラッキングエリア更新要求メッセージに含まれるｆｌａｇ２を受信したことにより、コンテキスト応答メッセージには、ＭＭＥ＿Ｂ４２のコアネットワークタイプを含めずに送信してもよい。
【０２０７】
さらに、ＭＭＥ＿Ｃ４４は、コンテキスト応答メッセージにコアネットワークタイプが含まれていないことから、ＭＭＥ＿Ｂ４２からコンテキスト応答を受信した際にＭＭＥの再設定の決定処理を行わず、トラッキングエリア更新応答メッセージを送信してもよい。
【０２０８】
なお、ＭＭＥ＿Ｃ４４は、トラッキングエリア更新応答メッセージにＭＭＥ＿Ｃ４４を識別する情報を含めてｅＮＢ４７に送信する。ここで、ＭＭＥ＿Ｃ４４を識別する情報は、ＭＭＥ_Ｃ４４を識別するＧＵＭＭＥＩであってよい。さらに、ＭＭＥ＿Ｃ４４は、メッセージにトラッキングエリアの更新が完了したことを通知する情報要素が含を含めて送信する。
【０２０９】
ｅＮＢ４７は、ＭＭＥ＿Ｃ４４からトラッキングエリア更新応答メッセージを受信する。ｅＮＢ４７はメッセージの受信に基づき、ＵＥ＿Ａ１０にトラッキングエリア更新応答メッセージを送信する（Ｓ５１６）。ｅＮＢ４７は、メッセージにコアネットワークを変更したトラッキングエリアの更新を完了したことを通知する情報要素と、新しいＭＭＥであるＭＭＥ＿Ｃ４４の識別情報を含めてもよい。
【０２１０】
また、図６のＳ４１４において、ＭＭＥ＿Ｃ４４は、ＭＭＥ＿Ｂ４２から、ＵＥ＿Ａ１０のコンテキストを受信し、ｅＮＢ４７が送信するトラッキングエリア更新要求を再度受信するまでＵＥ＿Ａ１０のコンテキストを保持しても良い。もしくは、ＭＭＥ＿Ｃ４４は、一定期間待機するためのタイマー１をもち、タイマー１が終了するまで、ＵＥ＿Ａ１０のコンテキストを保持してもよい。これにより、一定時間の間、ｅＮＢ４７が送信するトラッキングエリア更新要求を待ちうけることが可能になる。
【０２１１】
この場合、タイマー１が終了するまでに、ｅＮＢ４７からトラッキングエリア更新要求メッセージを再受信し、受信メッセージにｆｌａｇ２が含まれていた場合、ＭＭＥ＿Ｃ４４は保持していたコンテキストを、記憶部に記憶してもよい。これにより、コンテキスト要求の送受信（Ｓ５０８）、コンテキスト応答の送受信（Ｓ５１０）等を含む、ＭＭＥ＿Ｂ４２に対して再度実行するコンテキストの要求手続き（Ｓ５１２）を省略することができる。
【０２１２】
これに限らず、トラッキングエリア更新要求の送受信（Ｓ５０６）、トラッキングエリア更新応答の送受信（Ｓ５１４）、コンテキスト要求の送受信（Ｓ５０８）、コンテキスト応答の送受信（Ｓ５１０）等を含む、再実行されるトラッキングエリア更新手続き（Ｓ５１８）を省略してもよい。
【０２１３】
この場合、図６のＳ４１４において説明した、コンテキスト応答メッセージにはＵＥ＿Ａ１０のコンテキストを含めて送信する。さらに、コンテキスト応答メッセージは、ＭＭＥの再選択ができない場合には、コアネットワークを変更してトラッキングエリアを更新することを要求する通知であってもよい。
【０２１４】
加えて、ＭＭＥ＿Ｂ４２は、こうしたコンテキスト応答を送信後、一定期間ＵＥ＿Ａ１０のコンテキストを記憶部に記憶しておくためのタイマー２のカウントを開始し、タイマー２が消費された場合にＵＥ＿Ａ１０のコンテキストを削除してもよい。これにより、ＭＭＥ＿Ｂ４２は、ＵＥ＿Ａ１０がコアネットワークを変更したトラッキングエリアの更新を完了したと検出してもよい。
【０２１５】
さらに、ＭＭＥ＿Ｃ４４はコンテキスト応答の受信に基づいてｅＮＢ４７に送信するリダイレクト要求メッセージ（Ｓ４１６）にＵＥ＿Ａ１０のコンテキストを含めて送信する。さらに、リダイレクト要求メッセージは、ＭＭＥの再選択ができない場合には、コアネットワークを変更してトラッキングエリアを更新することを要求する通知であってもよい。
【０２１６】
加えて、ＭＭＥ＿Ｃ４４は、こうしたリダイレクト要求メッセージを送信後、一定期間ＵＥ＿Ａ１０のコンテキストとトラッキングエリア情報とを記憶部に記憶し、タイマー３のカウントを開始してもよい。さらに、ＭＭＥ＿Ｃ４４は、タイマー３が消費された場合にＵＥ＿Ａ１０のコンテキストを削除してもよい。これにより、ＭＭＥ＿Ｃ４４は、タイマー３が消費されるまでの間、ＵＥ＿Ａ１０のトラッキングエリアはＭＭＥ_Ｃ４４に登録することができる。なお、ＭＭＥ＿Ｃ４４は、タイマー３が消費されるまでの間に、新たにＵＥ＿Ａ１０のトラッキングエリア更新を要求するメッセージを受信した場合、タイマー３のカウントを止め、ＵＥ＿Ａ１０のトラッキングエリアを登録してもよい。
【０２１７】
さらに、ｅＮＢ４７は、こうしたリダイレクト要求メッセージを受信し、同一のコアネットワークに含まれるＭＭＥが選択できない場合には、トラッキングエリア更新要求の送信（Ｓ５０６）を省略して行わず、ＭＭＥ_Ｃ４４を識別するＧＵＭＭＥＩなどのＭＭＥ＿Ｃ４４を識別する情報を含めてトラッキング更新応答をＵＥ＿Ａ１０に送信し、トラッキングエリア更新手続きを完了してもよい。
【０２１８】
なお、図６のＳ４１８のように、ＭＭＥの再選択が決定した場合、ｅＮＢ４７は、ＭＭＥ＿Ｃ４４に、ＵＥ＿Ａ１０のコンテキストを削除することを要求するメッセージを送信してもよい。
【０２１９】
このように、トラッキングエリア更新手続き（Ｓ５１８）を省略してもよい。
【０２２０】
［１．３．３．トラッキングエリア更新手続き変形例２］
次に、図８を用いて、ＵＥ＿Ａ１０が送信するトラッキングエリア更新要求の受信に基づいて、ｅＮＢ４７はＵＥ＿Ａ１０の接続しているコアネットワークの識別情報を検出し、コアネットワークの識別情報に基づいたＭＭＥを選択して接続する方法について説明する。
【０２２１】
図８に、トラッキングエリア更新手続きを示す。なお、ここではｅＮＢ４７の記憶部２４０に含まれるＭＭＥ情報は、図３（ｂ）のように、ＭＭＥ識別情報とサービスエリア情報を関連付けた情報であってもよく、図３（ｃ）に示すように、図３（ｂ）の情報から更にコアネットワークタイプを関連付けたものであってもよい。
【０２２２】
ＭＭＥ情報２４２が、図３（ｂ）に示すようなＭＭＥの識別情報とエリア情報から構成されている場合、ＭＭＥの識別情報はＧＵＭＭＥＩであってもよい。
【０２２３】
また、この時ＧＵＭＭＥＩに含まれるＭＭＥグループ番号は、ＭＭＥが接続するコアネットワークタイプを示してもよい。
【０２２４】
つまり、図８では、ｅＮＢ４７は、ＭＭＥの識別情報を基にＭＭＥが接続するコアネットワークを識別する機能をもつ。
【０２２５】
まず、ＵＥ＿Ａ１０で、トラッキングエリア更新要求を送信するためのトリガーが発生する（Ｓ４０２）。トラッキングエリアの更新要求の送信トリガーは、特に限定しないが、例えば、定期的に発生するトリガーであり、タイマーのカウントが終了したことなど、従来のトリガーと同様であってもよい。この時、ＵＥ＿Ａ１０はｅＮＢ４７の接続領域に移動しているとする。
【０２２６】
次に、ＵＥ＿Ａ１０は、トラッキングエリア更新要求トリガーに基づき、ＵＥ＿Ａ１０はｅＮＢ４７にトラッキングエリア更新要求メッセージを送信する（Ｓ６０１）。
【０２２７】
ＵＥ＿Ａ１０は、メッセージにＵＥ＿Ａ１０の識別情報と、ＵＥ＿Ａ１０が移動前に接続しているＭＭＥ＿Ｂ４２の識別情報と、ＵＥ＿Ａ１０の位置を示すトラッキングエリア情報とを含めて送信してもよい。なお、ＵＥ＿Ａ１０の識別情報は、ＵＥ＿Ａ１０に対してグローバルユニークに割り当てられたＧＵＴＩ（Globally Unique Temporary Identity）を用いても良い。また、ＭＭＥ＿Ｂ４２の識別情報は、ＧＵＭＭＥＩを用いても良い。また、ＧＵＭＭＥＩは、ＧＵＴＩに含まれて構成されてもよい。
【０２２８】
なお、ＵＥが移動前に接続していたＭＭＥの識別情報（ｏｌｄ  ＧＵＭＭＥＩ）は、ＵＥ＿Ａ１０が接続していたコアネットワークを識別する識別情報を含めて構成してもよい。より具体的には、ｏｌｄ  ＧＵＭＭＥＩに含まれるグループ識別情報が、ＵＥ＿Ａ１０が接続していたコアネットワークを識別する識別情報に対応する情報であってよい。
【０２２９】
または、ＵＥ＿Ａ１０は、移動前に接続していたＭＭＥの識別情報とは独立した情報であるコアネットワークを識別する識別情報をメッセージに含めてもよい。
【０２３０】
ｅＮＢ４７は、ＵＥ＿Ａ１０からトラッキングエリア更新要求メッセージを受信する。ｅＮＢ４７はメッセージに含まれる、ＵＥ＿Ａ１０のコアネットワークを識別情報（ｏｌｄ  ＧＵＭＭＥＩまたは独立したコアネットワークタイプ識別情報）を取得する。ｅＮＢ４７は、ＭＭＥ情報２４２の中から、エリア情報と、コアネットワークタイプ情報が、ＵＥと最も合致するＭＭＥを選択する（Ｓ６０２）。
【０２３１】
ｅＮＢ４７は、ＭＭＥの選択をもとに、選択したＭＭＥ（ここでは、ＭＭＥ＿Ｄ４６）にトラッキングエリア更新要求メッセージを送信する（Ｓ６０４）。
【０２３２】
メッセージには、ＵＥ＿Ａ１０が移動前に接続していたＭＭＥの識別情報（ｏｌｄ  ＧＵＭＭＥＩ）と、ＵＥ＿Ａ１０の位置を示すトラッキングエリア情報と、を含める。
【０２３３】
移動前のＭＭＥの識別情報は、ここでは、ＭＭＥ＿Ｂ４２のＧＵＭＭＥＩである。また、トラッキングエリア識別情報は、ＵＥの位置登録エリア情報である。
【０２３４】
ＭＭＥ＿Ｄ４６は、ｅＮＢ４７からトラッキングエリア更新要求を受信する。ＭＭＥ＿Ｄ４６はメッセージに含まれるＭＭＥの識別情報に基づき、ＭＭＥ＿Ｂ４２にコンテキスト要求メッセージを送信する（Ｓ６０６）。
【０２３５】
メッセージには、ｅＮＢ４７から受信したトラッキングエリア更新要求メッセージを含める。更に、ＭＭＥ＿Ｄ４６が接続するコアネットワークの識別情報を含めてもよい。
【０２３６】
ＭＭＥ＿Ｂ４２は、ＭＭＥ＿Ｄ４６からコンテキスト要求メッセージを受信する。ＭＭＥＢ４２はメッセージに含まれるＭＭＥ＿Ｄ４６が接続するコアネットワークの識別情報を取得し、取得したコアネットワークとＭＭＥ＿Ｂ４２が接続するコアネットワークを比較し、ＭＭＥ再選択の要否を決定する。図８では、取得したコアネットワーク（ＭＭＥ＿Ｄ４６が接続するコアネットワーク）と、ＭＭＥ＿Ｂ４２のコアネットワークが同じであるため、ＭＭＥ再選択不要の決定をする（Ｓ６０８）。
【０２３７】
ＭＭＥ＿Ｂ４２は、再選択不要の決定に基づき、コンテキスト応答メッセージをＭＭＥ＿Ｄ４６に送信する（Ｓ６１０）。
【０２３８】
メッセージには、ＭＭＥ＿Ｂ４２の記憶部に記憶されているＵＥ＿Ａ１０のコンテキストであり、ＭＭコンテキストや、ＥＰＳベアラコンテキストが含まれる。
【０２３９】
一方、ＭＭＥ＿Ｂ４２がＭＭＥ＿Ｄ４６から受信したコンテキスト要求メッセージに、ＭＭＥ＿Ｄ４６が接続するコアネットワークの識別情報を含めない場合、ＭＭＥ＿Ｂ４２はメッセージの受信に基づき、ＭＭＥ＿Ｄ４６にコンテキスト応答メッセージを送信してもよい（Ｓ６１０）。
【０２４０】
メッセージには、ＵＥ＿Ａ１０のコンテキストと、ＭＭＥ＿Ｂ４２が接続するコアネットワークの識別情報を含める。ＵＥ＿Ａ１０のコンテキストには、従来のＭＭコンテキストやＥＰＳベアラコンテキストが含まれてもよい。ＭＭＥ＿Ｄ４６はＭＭＥ＿Ｂ４２からコンテキスト要求メッセージの応答として、コンテキスト応答メッセージを受信する。
【０２４１】
この時、ＭＭＥ＿Ｄ４６は、受信メッセージに、ＵＥ＿Ａ１０のコンテキストと、ＭＭＥ＿Ｂ４２が接続するコアネットワークの識別情報が含まれている場合、ＭＭＥ＿Ｂ４２が接続するコアネットワークの識別情報を取得し、ＭＭＥ＿Ｄ４６が接続するコアネットワークタイプと比較する。図８では、ＭＭＥ＿Ｂ４２が接続するコアネットワークとＭＭＥ＿Ｄ４６が接続するコアネットワークが同じであるため、ＭＭＥ＿Ｄ４６は、ＭＭＥの再選択不要を決定する（Ｓ６１２）。
【０２４２】
ＭＭＥ＿Ｄ４６は、コンテキストの受信、または再選択不要の決定に基づき、メッセージに含まれるＵＥ＿Ａ１０のコンテキストを記憶部に記憶する。更に、ｅＮＢ４７から受信したトラッキングエリア更新要求メッセージに含まれるＵＥ＿Ａ１０の位置を示すトラッキングエリア情報を用いて、コンテキストに含まれるトラッキングエリア情報を更新する。
【０２４３】
ＭＭＥ＿Ｄ４６は、コンテキスト応答メッセージの受信に基づき、ｅＮＢ４７にトラッキングエリア更新応答メッセージを送信する（Ｓ６１４）。メッセージには、トラッキングエリアの更新が完了したことを通知する情報要素が含まれている。
【０２４４】
ｅＮＢ４７は、ＭＭＥ＿Ｄ４６からトラッキングエリア更新応答メッセージを受信する。ｅＮＢ４７はメッセージの受信に基づき、ＵＥ＿Ａ１０にトラッキングエリア更新応答メッセージを送信する（Ｓ６１６）。メッセージには、トラッキングエリア更新が完了したことを通知する情報要素と、新しいＭＭＥであるＭＭＥ＿Ｄ４６の識別情報（例えば、ＧＵＭＭＥＩ）を含める。
【０２４５】
ＵＥ＿Ａ１０は、ｅＮＢ４７から、トラッキングエリア更新応答メッセージを受信する。受信したメッセージに含まれる新しい、ＭＭＥの識別情報を取得する。
【０２４６】
以上のように、ｅＮＢ４７がＭＭＥのコアネットワークタイプを記憶することと、ＵＥ＿Ａ１０がコアネットワークを識別する情報を送信することにより、ｅＮＢ４７はコアネットワークの識別情報に基づいてＭＭＥの選択を行うことができ、トラッキングエリア更新手続きの処理数を減らすことができる。
【０２４７】
なお、１．３．１章で説明したＭＭＥリロケーションを伴うトラッキングエリア更新手続きの中の一例では、ｅＮＢ４７は必ずしもＭＭＥのコアネットワークの識別情報を予め記憶しておく必要がない。そのため、例えば、ｅＮＢ４７は、ＭＭＥのコアネットワークの識別情報を記憶しており、さらにＵＥ＿Ａ１０がトラッキングエリア更新要求にコアネットワークの識別情報を含めて送信してきた場合には、本変形例で説明したＭＭＥの選択処理に基づく接続を行い、それ以外の場合には、ｅＮＢ４７は、１．３．１章で説明したＭＭＥリロケーションを伴うトラッキングエリア更新手続きで説明した方法を用いて接続するなどの処理を行っても良い。
【０２４８】
もしくは、ｅＮＢ４７は、本変形例で説明したＭＭＥの選択処理に基づく接続を行うか、ｅＮＢ４７は、１．３．１章で説明したＭＭＥリロケーションを伴うトラッキングエリア更新手続きで説明した方法を用いて接続を行うかを検出する設定情報を予め保持しておき、設定情報に基づいて処理を選択してもよい。なお、設定情報は、移動通信事業者等のオペレータポリシーに基づいて運用者によってｅＮＢ４７に設定された情報であってよい。
【０２４９】
以上、この発明の実施形態および変形例について図面を参照して詳述してきたが、具体的な構成はこの実施形態に限られるものではなく、この発明の要旨を逸脱しない範囲の設計等も特許請求の範囲に含まれる。
【０２５０】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０２５１】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２５２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０２５３】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【０２５４】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【符号の説明】
【０２５５】
１  通信システム
１０  ＵＥ＿Ａ
１５  ＵＥ＿Ｂ
３０  ＰＧＷ
３５  ＳＧＷ
４０  ＭＭＥ＿Ａ
４２  ＭＭＥ＿Ｂ
４５  ｅＮＢ
５０  ＨＳＳ
５５  ＡＡＡ
６０  ＰＣＲＦ
６５  ｅＰＤＧ
７０  ＷＬＡＮ  ＡＮａ
７５  ＷＬＡＮ  ＡＮｂ
８０  ＬＴＥ  ＡＮ
９０  コアネットワーク（タイプ１）
９２  コアネットワーク（タイプ２）
１００  ＰＤＮ＿Ａ
１０２  ＰＤＮ＿Ｂ
【図１】
2016002692.tif 000003
【図２】
2016002692.tif 000004
【図３】
2016002692.tif 000005
【図４】
2016002692.tif 000006
【図５】
2016002692.tif 000007
【図６】
2016002692.tif 000008
【図７】
2016002692.tif 000009
【図８】
2016002692.tif 000010
【国際調査報告】
2016002692.tif 000011
2016002692.tif 000012
2016002692.tif 000013